(57)【特許請求の範囲】
【請求項１】
輸送機用の分散型電力及び通信システムであって、
前記輸送機内にわたって空間的に分散配置されるとともに、それぞれが独立して装置負荷に対応すべく電力及び通信データを供給するように構成された、複数のモジュール式装置センター（ＭＥＣｓ）と、
前記輸送機内にわたって分散配置された複数の遠隔モジュール式装置センター（ＲＭＥＣｓ）と、を備えており、前記ＲＭＥＣｓの各々は、最も近接する前記ＭＥＣから電力及び通信データを受け取り、前記ＲＭＥＣｓの各々は、各ＲＭＥＣに近接する１つ又は複数の電力及び通信データ要素の区域に配置され且つ関連付けられており、各ＲＭＥＣは、関連付けられた区域の前記電力及び通信データ要素に電力を分配するとともに前記電力及び通信データ要素からデータを収集するように構成されている、システムであって、
前記複数のＭＥＣｓのうちの少なくとも１つは一次ＭＥＣであり、前記複数のＭＥＣｓのうちの少なくとも他の１つは二次ＭＥＣであり、１つ又は複数のＲＭＥＣｓからのタイムセンシティブな通信データは前記一次ＭＥＣに送信され、１つ又は複数のＲＭＥＣｓからのタイムセンシティブでない通信データは、前記二次ＭＥＣに送信される、システム。
【請求項２】
前記複数のＭＥＣｓの各ＭＥＣは、独立して１つ又は複数の一次電源から一次電力を受け取り、かつ各ＭＥＣは、独立して１つ又は複数のＲＭＥＣｓに二次電力を供給することにより当該ＲＭＥＣの区域内における装置負荷に対応する、請求項１に記載のシステム。
【請求項３】
前記複数のＲＭＥＣｓは、前記輸送機内に配置された１つ又は複数のＭＥＣｓと通信する、請求項１に記載のシステム。
【請求項４】
前記輸送機は航空機であり、前記ＲＭＥＣは、ＬＲＵ内に収容されている、請求項１に記載のシステム。
【請求項５】
ＲＭＥＣ及び少なくとも１つの電力及びデータ要素は、前記輸送機への当該システムの設置前に製品適格性が確認される、請求項１に記載のシステム。
【請求項６】
前記ＲＭＥＣは、前記輸送機のホイール格納部に配置されている、請求項１に記載のシステム。
【請求項７】
前記輸送機は、互いに連結されて本体を規定する複数の輸送機セクション、及び、隣接する輸送機セクション間のセクションブレークを含み、前記本体は、１つ又は複数の加圧部分及び１つ又は複数の非加圧部分を有し、前記複数のＲＭＥＣｓの１つ又は複数は、前記輸送機の前記１つ又は複数の加圧部分の外部に分散配置されている、請求項１に記載のシステム。
【請求項８】
前記輸送機の前記１つ又は複数の加圧部分の内部に配置された１つ又は複数のＲＭＥＣｓをさらに含む、請求項７に記載のシステム。
【請求項９】
前記ＲＭＥＣｓは、前記輸送機の前記１つ又は複数の加圧部分の外部と内部の両方に分散配置されている、請求項７に記載のシステム。
【請求項１０】
前記輸送機の前記１つ又は複数の加圧部分の外部の前記複数のＲＭＥＣｓの前記１つ又は複数は、前記輸送機の前記加圧部分の内部の前記複数のＭＥＣｓのうちの１つ又は複数と通信する、請求項７に記載のシステム。
【請求項１１】
輸送機用の分散型電力及び通信システムであって、
前記輸送機内にわたって空間的に分散配置されるとともに、それぞれが独立して装置負荷に対応すべく電力及び通信データを供給するように構成された、複数のモジュール式装置センター（ＭＥＣｓ）と、
前記輸送機内にわたって分散配置された複数の遠隔モジュール式装置センター（ＲＭＥＣｓ）と、を備えており、前記ＲＭＥＣｓの各々は、最も近接する前記ＭＥＣから電力及び通信データを受け取り、前記ＲＭＥＣｓの各々は、各ＲＭＥＣに近接する１つ又は複数の電力及び通信データ要素の区域に配置され且つ関連付けられており、各ＲＭＥＣは、関連付けられた区域の前記電力及び通信データ要素に電力を分配するとともに前記電力及び通信データ要素からデータを収集するように構成されている、システムであって、
前記輸送機は、互いに連結されて本体を規定する複数の輸送機セクション、及び、隣接する輸送機セクション間のセクションブレークを含み、前記本体は、１つ又は複数の加圧部分及び１つ又は複数の非加圧部分を有し、前記複数のＲＭＥＣｓの１つ又は複数は、前記輸送機の前記１つ又は複数の加圧部分の外部に分散配置されており、
前記輸送機の非加圧部分内の前記ＲＭＥＣｓのうちの１つ又は複数は、前記加圧部分への貫通の程度を最小限にするために、関連付けられた区域内における複数のデータ要素からのデータを結合する集信装置を備える、システム。
【請求項１２】
輸送機用の分散型電力及び通信システムであって、
前記輸送機内にわたって空間的に分散配置されるとともに、それぞれが独立して装置負荷に対応すべく電力及び通信データを供給するように構成された、複数のモジュール式装置センター（ＭＥＣｓ）と、
前記輸送機内にわたって分散配置された複数の遠隔モジュール式装置センター（ＲＭＥＣｓ）と、を備えており、前記ＲＭＥＣｓの各々は、最も近接する前記ＭＥＣから電力及び通信データを受け取り、前記ＲＭＥＣｓの各々は、各ＲＭＥＣに近接する１つ又は複数の電力及び通信データ要素の区域に配置され且つ関連付けられており、各ＲＭＥＣは、関連付けられた区域の前記電力及び通信データ要素に電力を分配するとともに前記電力及び通信データ要素からデータを収集するように構成されている、システムであって、
前記輸送機は、互いに連結されて本体を規定する複数の輸送機セクション、及び、隣接する輸送機セクション間のセクションブレークを含み、前記本体は、１つ又は複数の加圧部分及び１つ又は複数の非加圧部分を有し、前記複数のＲＭＥＣｓの１つ又は複数は、前記輸送機の前記１つ又は複数の加圧部分の外部に分散配置されており、
前記複数のＲＭＥＣｓの前記１つ又は複数があることにより、前記１つ又は複数の加圧部分の外部の電力及びデータ要素と、前記１つ又は複数の加圧部分の内部の１つ又は複数のＭＥＣｓとの間には、直接の電力又はデータ経路が存在しない、システム。
【請求項１３】
前記複数のＲＭＥＣｓのうちの１つのＲＭＥＣは、前記輸送機の前記１つ又は複数の加圧部分の内部に配置されるとともに、乗客入口ドアの１つ又は複数の電力及びデータ要素とインターフェイスする、請求項７に記載のシステム。
【請求項１４】
輸送機における遠隔の電力及びデータ要素に電力及びデータを提供するための方法であって、
複数のモジュール式装置センター（ＭＥＣｓ）に一次電力を分配すること、
少なくとも１つのＭＥＣから、遠隔モジュール式装置センター（ＲＭＥＣ）に二次電力を分配すること、
前記ＲＭＥＣを、当該ＲＭＥＣに近接する１つ又は複数の電力及びデータ要素と関連付けること、
前記ＲＭＥＣに関連付けられた前記１つ又は複数の電力及びデータ要素に二次電力を分配すること、を含む方法であって、
前記ＲＭＥＣからのタイムセンシティブな通信を一次ＭＥＣに送信し、前記ＲＭＥＣからのタイムセンシティブでない通信を二次ＭＥＣに送信することをさらに含む、方法。
【請求項１５】
前記ＭＥＣが当該ＭＥＣから前記輸送機の非加圧部分内に配置された前記ＲＭＥＣに二次電力を供給することをさらに含む、請求項１４に記載の方法。
【請求項１６】
前記ＲＭＥＣにデータを提供し且つ当該ＲＭＥＣから命令を受信するように構成された装置の製品適格性の確認を、前記輸送機への設置前に行うことをさらに含む、請求項１４に記載の方法。
【請求項１７】
前記ＲＭＥＣが、前記輸送機の加圧部分の外部からの通信を前記輸送機の加圧部分の内部に送信することをさらに含む、請求項１４に記載の方法。
【発明の詳細な説明】
【背景技術】
【０００１】
本明細書に記載の実施形態は、モジュール式の輸送機アーキテクチャに関し、より具体的には、分散型の電力及びデータ航空機アーキテクチャに関する。通常、民間航空機は、電力及び通信装置を収容するための１つ又は複数の集中型装置ベイ（bay）を有する。電力及びデータは、各集中型装置ベイから航空機全体に分配され、これによって、航空機内のすべての機能が制御される。これらの集中型装置ベイは、航空機内の１つ又は複数のセクションブレークを挟んで互いに離間している。通常、ある集中型装置ベイは航空機の前方セクションに配置され、他は後方セクションに配置される。
【０００２】
主推進エンジンによって駆動される発電機は、航空機用の三相一次電力を生成する。一次電力は、まず後方の装置ベイに送られ、その後、航空機内を通って前方の装置ベイに送られる。各ベイに送られた一次電力は、集中的に変換されたのち、航空機の他の部分に分配されて様々な装置負荷を機能させる。各装置ベイ内には集中型バス電力制御ユニットがあり、航空機内のすべての電力機能を制御している。上述の中央集中的な変換の後、二次電力は、遠隔の電力分配ユニットを介して航空機内の装置負荷に供給されるか、直接的に装置負荷に供給される。
【０００３】
上記の航空機では、すべての機能が集中型の電力及び通信装置に依存している。集中型装置ベイからの電力又はデータのいずれか一方が遮断されると、受信側の装置は待機状態となり、対応するシステムの状態を乗務員が判断することが難しくなる。また、ピーク時には集中型通信装置との通信に必要な帯域幅に対する要求が多くなるため、通信ネットワークのバックボーンは非常に大きいものでなければならない。
【０００４】
複合材料製の航空機は、リターン電流用の経路又はネットワークとして機能するアルミニウムのシャーシを有しない。従って、すべての回路用の電流リターン経路を設けるために複雑なワイヤのネットワークを追加するか、それぞれの装置負荷に専用のリターンワイヤを設けるかのいずれかを行わなければならない。参考例として、発明の名称が「電流リターンネットワーク（CURRENT RETURN NETWORK）」である米国特許第８，０３１，４５８号の開示では、追加の導電配線が、複合材航空機の幅にわたって横に延びるだけでなく、複合材航空機の長さに沿って縦にも延びるように設けられている。しかしながらこの方策は、複合材航空機の費用の増加や、製造及びメンテナンスの複雑化、電圧降下の増大、および重量の増加をまねく。このため、配線を最小限にすることによって複合材航空機を軽量化しようとする試みは、複合材航空機において雷防護コンポーネントを増やす必要があることおよびその他の理由により阻まれてきた。
【０００５】
従来の航空機のアルミニウムのシャーシ（例えば、フレーム又は外板又はそれらの組み合わせを形成するコンポーネント）、並びに、航空機の他の任意の導電性金属構造体は、互いに連結されることによって、電圧基準点を電源分配接地点に戻すための電流リターンネットワークを形成する。電流リターンネットワークは、人的安全保護経路だけでなく、雷防護も実現する。しかし、シャーシが絶縁材料によって形成される複合材航空機においては、ワイヤの経路が、発電機から前方及び後方の装置ベイ、ならびに遠隔の電力分配ユニット及びそれらが電力供給する装置負荷まで延びる。さらに、ワイヤ経路が電流リターンネットワークを介して前方の装置ベイまで戻ることで、大きなワイヤループが形成される。複合材航空機において、このような長いワイヤループには、ある条件下において航空機への落雷により、大きな誘導電流が流れる。この問題に対処するため、ワイヤループにシールドを設けてもよいが、大きなワイヤループおよびそのシールドにより、航空機の重量が看過できないほど増加するおそれがある。
【０００６】
民間航空機は、例えば、セクションごとに製造し、それらを連結して完成航空機に組み立てられる。航空機内の様々なシステムは、複数のセクションにまたがって設けられた種々のコンポーネントを有しうる。セクション同士を最終的に組み付ける前に、１つのセクション内の多くのコンポーネントが正しく組み付けられたことを確認すべく検査が行われるが、あるセクションを検査・確認するためには、システムにおける組み立てシーケンス中にまだ存在していない部分をエミュレートする必要がある。セクションごとの取り付けの検査が完了すると、セクション同士を最終的に組み合わせて航空機を形成する。しかしながらこのような手法では、組立て後に間違いが発見されても、アクセスが容易でないために、修正がより困難になってしまう。
【０００７】
今日の航空機において、最終組み付けが非常に時間のかかる工程となっている理由の一つは、隣接するセクション同士での、一次電力コネクション及び二次電力コネクションの数、ならびにデータコネクションの数が多いことである。組み立てサイクルのより早い段階でシステムの動作確認検査を行い、これによって航空機の他の部分にある装置をエミュレートする必要性をなくすこと、セクションブレークにまたがるコネクションの数を減らすこと、統合パネルをなくすこと、及び、航空機の配線の重量及び複雑さを最小限に抑えることによって、航空機をより速く組み立てて、顧客の注文により迅速に応えることができるであろう。
【０００８】
本明細書における開示は、上記の観点及びその他の観点に鑑み、提示されるものである。
【発明の概要】
【０００９】
なお、本概要は、様々なコンセプトを適宜抽出し、簡略化した形で提示するものであり、より詳しい説明は、以下の詳細な説明において行う。また本概要は、特許請求される要旨の範囲を限定するために用いられることを意図したものではない。
【００１０】
本明細書に開示の一実施形態によれば、輸送機用の分散型電力及び通信システムが提供される。種々の電力及びデータ要素が設けられ、これらが輸送機内の輸送機システムとインターフェイスする。複数のモジュール式装置センター（ＭＥＣｓ）が、輸送機内にわたって空間的に分散配置されており、輸送機セクションのそれぞれに１つ又は複数のＭＥＣｓが配置される。各ＭＥＣは、それぞれが独立して装置負荷に対しサービスする、すなわち所定の対応を行う。また、複数の遠隔モジュール式装置センター（ＲＭＥＣｓ）が、輸送機内にわたって分散配置される。各ＲＭＥＣは、最も近接するＭＥＣから電力及び通信データを受け取る。１つ又は複数の電力及びデータ要素からなる区域が規定され、この区域が、最も近接するＲＭＥＣからサービスされる、すなわち所定の対応を受ける。各ＲＭＥＣは、関連する区域の電力及びデータ要素に対し電力を分配したり、当該要素からデータを収集するように構成されている。
【００１１】
本明細書に開示の別の実施形態によれば、航空機用の分散型電力及び通信システムが提供される。当該システムは、ＲＭＥＣを収容する列線交換ユニット（ＬＲＵ）を含む。ＬＲＵは、ＭＥＣから二次電力及び通信データを受け取り、ＲＭＥＣに対し所定の対応を行う。ＬＲＵは、当該ＬＲＵに近接する１つ又は複数の電力及びデータ要素の区域内に位置しており、ＲＭＥＣは、関連する区域の１つ又は複数の電力要素に電力を分配する一方、データ要素からデータを収集するように構成されている。
【００１２】
本明細書に開示の別の実施形態によれば、輸送機における遠隔の電力及びデータ要素に電力及びデータを提供するための方法が提供される。当該方法は、複数のＭＥＣｓに一次電力を分配すること、および、少なくとも１つのＭＥＣからＲＭＥＣに二次電力を分配すること、を含む。ＲＭＥＣは、当該ＲＭＥＣに近接する１つ又は複数の電力及びデータ要素と関連付けられており、二次電力が、この関連付けられた要素に対し分配される。
【００１３】
また、本開示は以下の付記に基づく実施形態を含む。
【００１４】
付記１．輸送機用の分散型電力及び通信システムは、前記輸送機内にわたって空間的に分散配置された複数のモジュール式装置センター（ＭＥＣｓ）を備えており、各ＭＥＣは、独立して装置負荷に対応すべく、電力及び通信データを供給する。また当該分散型電力及び通信システムは、前記輸送機内にわたって分散配置された複数の遠隔モジュール式装置センター（ＲＭＥＣｓ）を備えており、各ＲＭＥＣは、最も近接する前記ＭＥＣから電力及び通信データを受け取り、各ＲＭＥＣは、当該ＲＭＥＣに近接する１つ又は複数の電力及び通信データ要素の区域内に配置され且つ関連付けられており、各ＲＭＥＣは、関連付けられた区域の前記電力及び通信データ要素に電力を分配するとともに前記電力及び通信データ要素からデータを収集するように構成されている。
【００１５】
付記２．前記複数のＭＥＣｓの各ＭＥＣは、独立して１つ又は複数の一次電源から一次電力を受け取り、かつ各ＭＥＣは、独立して１つ又は複数のＲＭＥＣｓに二次電力を供給することにより当該ＲＭＥＣの区域内における装置負荷に対応する、付記１に記載のシステム。
【００１６】
付記３．前記複数のＲＭＥＣｓは、前記輸送機内に配置された１つ又は複数のＭＥＣｓと通信する、付記１に記載のシステム。
【００１７】
付記４．前記複数のＭＥＣｓのうちの少なくとも１つは一次ＭＥＣであり、前記複数のＭＥＣｓのうちの少なくとも他の１つは二次ＭＥＣであり、１つ又は複数のＲＭＥＣｓからのタイムセンシティブな通信データは、前記一次ＭＥＣに送信され、１つ又は複数のＲＭＥＣｓからのタイムセンシティブでない通信データは、前記二次ＭＥＣに送信される、付記１に記載のシステム。
【００１８】
付記５．前記輸送機は航空機であり、前記ＲＭＥＣは、ＬＲＵ内に収容されている、付記１に記載のシステム。
【００１９】
付記６．ＲＭＥＣ及び少なくとも１つの電力及びデータ要素は、前記輸送機内への当該システムの設置前に製品適格性が確認される、付記１に記載のシステム。
【００２０】
付記７．前記ＲＭＥＣは、前記輸送機のホイール格納部に配置されている、付記１に記載のシステム。
【００２１】
付記８．前記輸送機は、互いに連結されて本体を規定する複数の輸送機セクション、及び、隣接する輸送機セクション間のセクションブレークを含み、前記本体は、１つ又は複数の加圧部分及び１つ又は複数の非加圧部分を有し、前記複数のＲＭＥＣｓの１つ又は複数は、前記輸送機の前記１つ又は複数の加圧部分の外部に分散配置されている、付記１に記載のシステム。
【００２２】
付記９．前記輸送機の前記１つ又は複数の加圧部分の内部に配置された１つ又は複数のＲＭＥＣｓをさらに含む、付記８に記載のシステム。
【００２３】
付記１０．前記ＲＭＥＣは、前記輸送機の前記１つ又は複数の加圧部分の外部と内部の両方に分散配置されている、付記８に記載のシステム。
【００２４】
付記１１．前記輸送機の前記１つ又は複数の加圧部分の外部の前記複数のＲＭＥＣｓの前記１つ又は複数は、前記輸送機の前記加圧部分の内部の前記複数のＭＥＣｓのうちの１つ又は複数と通信する、付記８に記載のシステム。
【００２５】
付記１２．前記輸送機の非加圧部分内の前記ＲＭＥＣのうちの１つ又は複数は、前記加圧部分への貫通の程度を最小限にするために、関連付けられた区域内における複数のデータ要素からのデータを結合する集信装置を備える、付記８に記載のシステム。
【００２６】
付記１３．前記複数のＲＭＥＣｓの前記１つ又は複数があることにより、前記１つ又は複数の加圧部分の外部の電力及びデータ要素と、前記１つ又は複数の加圧部分の内部の１つ又は複数のＭＥＣｓとの間には、直接の電力又はデータ経路が存在しない、付記８に記載のシステム。
【００２７】
付記１４．前記複数のＲＭＥＣｓのうちの１つのＲＭＥＣは、前記輸送機の前記１つ又は複数の加圧部分の内部に配置されるとともに、乗客入口ドアの１つ又は複数の電力及びデータ要素とインターフェイスする、付記８に記載のシステム。
【００２８】
付記１５．航空機用の分散型電力及び通信システムは、遠隔モジュール式装置センター（ＲＭＥＣ）を収容する列線交換ユニット（ＬＲＵ）を備えている。前記ＬＲＵは、前記ＲＭＥＣに対応すべく、モジュール式装置センター（ＭＥＣ）から二次電力及び通信データを受け取る。前記ＬＲＵは、当該ＬＲＵに近接する１つ又は複数の電力及びデータ要素の区域内に位置している。前記ＲＭＥＣは、関連する区域における１つ又は複数の電力要素に電力を分配するとともに、データ要素からデータを収集するように構成されている。
【００２９】
付記１６．輸送機における遠隔の電力及びデータ要素に電力及びデータを提供するための方法は、複数のモジュール式装置センター（ＭＥＣｓ）に一次電力を分配すること；少なくとも１つのＭＥＣから、遠隔モジュール式装置センター（ＲＭＥＣ）に二次電力を分配すること；前記ＲＭＥＣを、当該ＲＭＥＣに近接する１つ又は複数の電力及びデータ要素と関連付けること；および、前記ＲＭＥＣに関連付けられた前記１つ又は複数の電力及びデータ要素に二次電力を分配すること；を含む。
【００３０】
付記１７．前記ＭＥＣが当該ＭＥＣから前記輸送機の非加圧部分内に配置された前記ＲＭＥＣに二次電力を供給することをさらに含む、付記１６に記載の方法。
【００３１】
付記１８．前記ＲＭＥＣにデータを提供し且つ当該ＲＭＥＣから命令を受信するように構成された装置の製品適格性の確認を、前記輸送機への設置前に行うことをさらに含む、付記１６に記載の方法。
【００３２】
付記１９．前記ＲＭＥＣからのタイムセンシティブな通信を一次ＭＥＣに送信し、前記ＲＭＥＣからのタイムセンシティブでない通信を二次ＭＥＣに送信することをさらに含む、付記１６に記載の方法。
【００３３】
付記２０．前記ＲＭＥＣが、前記輸送機の加圧部分の外部からの通信を前記輸送機の加圧部分の内部に送信することをさらに含む、付記１６に記載の方法。
【００３４】
上述した特徴、機能、及び、利点は、本願開示の様々な実施形態において個別に実現可能であるが、他の実施形態おいて互いに組み合わせてもよく、さらなる詳細については、以下の記載及び図面を参照することによって明らかになるであろう。
【図面の簡単な説明】
【００３５】
本明細書に提示の実施形態は、詳細な説明及び添付の図面によってより理解されるであろう。
【図１】本明細書に開示の少なくとも１つの実施形態による、空間的に分散配置されたモジュール式装置センター（ＭＥＣ）を有する航空機の一構成の上面図であり、装置負荷が最も近接するＭＥＣによる所定の対応を受ける構成を示す図である。
【図２】本明細書に開示の少なくとも１つの実施形態による、航空機の１つのエンジンあたりの２つの発電機を航空機の前方と後方とに分ける構成を示す図である。
【図３】本明細書に開示の少なくとも１つの実施形態による、電力バスネットワークを通電する発電機に接続された一次電力供給手段の一構成を示す図である。
【図４】本明細書に開示の少なくとも１つの実施形態による、一次ＭＥＣ及び二次ＭＥＣの一構成を示す図である。
【図５Ａ−５Ｆ】本明細書に開示の少なくとも１つの実施形態による、一次ＭＥＣ、二次ＭＥＣ、及び予備ＭＥＣの、フォールトトレラントな結合一次及び二次電力分配ネットワークの一構成を示す図である。
【図６】本明細書に開示の少なくとも１つの実施形態による、航空機の前方セクションにおける二次電力バスネットワークの一構成を示す図である。
【図７】本明細書に開示の少なくとも１つの実施形態による、装置負荷に対応するためのＭＥＣであって、分散されたコンピューティング機能及びＭＥＣ間の双方向データのゲートウェイルーティングのためのコンピューティング及びネットワークインターフェイスモジュールを有するＭＥＣの一構成を示す図である。
【図８】本明細書に開示の少なくとも１つの実施形態による、セクションブレークによって分離され空間的に分散配置されたＭＥＣ間の通信バスインターフェイスを有するデータネットワーク構造の一構成を示す図である。
【図９】本明細書に開示の少なくとも１つの実施形態による、分散されたコンピューティング機能及び双方向データのゲートウェイルーティングのためのコンピューティング及びインターフェイスモジュールの一構成を示す図である。
【図１０Ａ−１０Ｄ】本明細書に開示の少なくとも１つの実施形態による、特定の電力入力源及び複数の異なる電力出力に関する、一次ＭＥＣの高電圧一次電力バス構造の様々な構成を示す図である。
【図１１】本明細書に開示の少なくとも１つの実施形態による、一次ＭＥＣと共に使用するための、共通の電力入力源及び複数の共通の電力出力を有する一次電力スイッチングネットワーク装置の一般的な構造及びレイアウトを示す図である。
【図１２Ａ−１２Ｃ】本明細書に開示の少なくとも１つの実施形態による、発電機から三相電力を受け取る一次ＭＥＣと共に使用するための、一組の一次電力スイッチングネットワーク装置の一構成を示す図である。
【図１３】本明細書に開示の少なくとも１つの実施形態による、ＭＥＣの多層統合トラスシステムの分解斜視図である。
【図１４】本明細書に開示の少なくとも１つの実施形態による、複数の電力及び通信転送層を有する一次ＭＥＣの一構成を示す図である。
【図１５】本明細書に開示の少なくとも１つの実施形態による、主発電機から複数の変圧整流器（ＴＲＵｓ）及び自動変圧器（ＡＴＵｓ）に送られ、ゼロ直流（ＤＣ）オフセット電圧になる、三相一次電力の一構成の概略図である。
【図１６】本明細書に開示の少なくとも１つの実施形態による、ツイストシールド導体ペアを用いた、ＴＲＵｓ及びＡＴＵｓから装置負荷への交流（ＡＣ）又はＤＣ電力のいずれかの分配の一構成を示す図である。
【図１７】本明細書に開示の少なくとも１つの実施形態による、航空機の床内のＭＥＣの統合トラスシステムの一構成を示す図である。
【図１８】本明細書に開示の少なくとも１つの実施形態による、航空機全体にわたって、航空機の加圧部分及び非加圧部分内に遠隔ＭＥＣｓ（ＲＭＥＣｓ）を有する航空機の一構成を示す図である。
【図１９】本明細書に開示の少なくとも１つの実施形態による、フォールトトレラントな電力及び通信システムを有するとともに、航空機のサブシステムのニーズに基づいてカスタマイズ可能なＲＭＥＣの一構成のブロック図である。
【図２０Ａ−２０Ｂ】本明細書に開示の少なくとも１つの実施形態による、ランディングギアの制御及び表示システム用のＲＭＥＣの一構成を示す図である。
【図２１Ａ−２１Ｂ】本明細書に開示の少なくとも１つの実施形態による、乗客入口ドアシステムの乗客入口ドアのＲＭＥＣの一構成を示す図である。
【図２２】本明細書に開示の少なくとも１つの実施形態による、遠隔の電力及びデータ要素に電力及びデータを供給するための手順の一構成を示す図である。
【発明を実施するための形態】
【００３６】
以下の詳細な説明は、輸送機に関し、当該輸送機は、システムの冗長性を増すためのモジュール式の装置センターを有する。また、ワイヤの重量及び必要なワイヤコネクションの数を最小限に抑えることによって、輸送機全体の重量及び輸送機の製造時間を低減できるように、輸送機内にわたって複数のモジュール式装置センター（ＭＥＣ）を分散配置したものである。本発明は、多くの異なる形での実施形態が可能であり、本発明の原理を、開示した特定の実施形態のみに限定する意図はない。以下で言及した方向、例えば、「前」「後」「左」「右」などは、輸送機の後方から前方を見た場合のものである。以下の詳細な説明において参照する添付図面は、本開示の一部を構成するものであり、特定の実施形態又は実施例を例示的に表している。図面において、同様の要素には同様の参照数字を付している。以下、本開示の様々な側面に関し、図面を参照しつつ説明する。
【００３７】
本開示の側面は、種々の輸送機において利用することが可能である。そのような輸送機としては例えば、航空機、宇宙船、衛星、船舶、潜水艦、及び、旅客用、農業用又は建設用の輸送機などがあげられる。本開示の側面は、輸送機の他の様々な構成においても適用することができる。直接的な効果が奏されるのは、非導電性のフレーム、シャーシ又は外板を有する輸送機であるが、本願で開示する特徴は、導電性材料によって形成された輸送機にも好適かつ有益であろう。本開示の側面をわかりやすく説明するため、本明細書では、主要な例として複合材航空機１０をあげているが、開示の側面の多くが複合材航空機１０のみに限定されないことは容易に理解されよう。
【００３８】
当業者であればわかるように、図１に示した例示的な航空機１０は、一般的に胴体(fuselage)とよばれる本体を有しており、これは実質的に複合材料又は複合材で形成されている。航空機１０の胴体の複合材外板は、胴体フレームの曲率に合わせて曲げられている。胴体は、前方セクション１２、中央セクション１４、および後方セクション１６等の、複数の航空機セクションに分けられる。隣接する航空機セクションの間には、セクションブレーク(section breaks)１８、２０、２２が規定されている。複合材航空機１０は、任意の数のエンジンを有する。図１に示すように、左エンジン３０は左翼に支持されており、右エンジン３２は右翼に支持されている。エンジン３０、３２のそれぞれが、ローターを有しており、これらはローターバーストゾーン３８（図５Ａ）を規定している。このゾーンは、エンジン３０、３２の一方に関する何らかの事象又は動作的な不具合の結果、エンジン３０、３２間の胴体及び航空機システムへの損傷が起こりうる領域である。
【００３９】
複合材航空機１０におけるセクションの数は、任意に設定可能である。複合材航空機１０内のセクション又はシステムの位置は、ローターバーストゾーン３８を基準として、これよりも前方あるいは後方であると規定することができる。胴体フレームの間には、床ビームが延びており、これらの床ビームの上には客室が、下には貨物を保管するための貨物エリアが設けられている。胴体フレームと床の間に延びるスタンチョン（stanchions)は、複合材航空機１０の床を補強する支柱である。客室エリアは与圧され、貨物エリアは、例えばその一部又は全体が与圧される。ダクトは、客室の上方の複合材航空機１０のクラウン部、又は胴体フレームとスタンチョンの間などの床の下の貨物エリアに配置されうる。
【００４０】
各エンジン３０、３２に対し、１つ又は複数の主一次電源が装備される。これらは例えば、高電圧ＡＣ左発電機３４ａ、３４ｂ及び高電圧ＡＣ右発電機３６ａ、３６ｂである。（以下、一括的及び／又は全体的に、「左発電機３４」、「右発電機３６」、「発電機３４、３６」と呼ぶ場合もある。）左発電機３４ａ、３４ｂからは、一次電力供給手段４０ａ、４０ｂが延びており、右発電機３６ａ、３６ｂからは、一次電力供給手段４２ａ、４２ｂが延びている。図１に示すように、一次電力は、一次電力供給手段４０ａ、４０ｂ、４２ａ、４２ｂ（以下、一括的及び／又は全体的に、「電力供給手段４０、４２」と呼ぶ場合もある）を介して、複合材航空機１０内に全体的に分配される。複合材航空機１０は、１つ又は複数の高電圧ＡＣ補助電源ユニット発電機５４をさらに有し、これは、発電機３４、３６の１つ又は複数が停止した場合の冗長性を確保するとともに、エンジン３０、３２が作動していないときに電力を供給するためのものである。複合材航空機１０が駐機され、エンジンが作動していない時には、高電圧ＡＣ補助電源ユニット発電機５４などの１つ又は複数の電源によって航空機に電力を供給することができる。
【００４１】
本開示において、低電圧及び高電圧とは、航空機産業において通常低電圧又は高電圧と規定されている電圧であり、例えば、ＲＴＣＡ社により発行されたアビオニクスハードウェアの環境試験基準である「DO-160, Environmental Conditions and Test Procedures for Airborne Equipment」に記載された電圧である。本開示を通して、２３０ＶＡＣを高電圧と称するが、２３０ＶＡＣより高い又は低い所定範囲内の電圧も高電圧と呼ぶこともできるであろう。また、２８ＶＤＣ及び１１５ＶＤＣを低電圧と称するが、２８ＶＤＣ及び１１５ＶＤＣより高い又は低い所定範囲内の電圧も低電圧と呼ぶこともできるであろう。
【００４２】
図１の複合材航空機１０は、専用の集中型装置ベイに電力及び通信装置を収容するといった構成を採用していない。すなわち、そのような装置の代わりに、各々がＭＥＣと呼ばれる複数のモジュール式電力及び通信装置センターを有しており、これら電力及び通信装置を複合材航空機１０全体に分散配置している。例えば、１つ又は複数のＭＥＣが、前方セクション、中央セクション、及び、後方セクション１２、１４、１６のそれぞれに配置されている。各ＭＥＣは、電力変換を局所的に行うものであり、例えば以下により詳しく述べるように、一次ＭＥＣ４４、二次ＭＥＣ４６、又は、補助もしくは予備ＭＥＣ４８のいずれかである。一次ＭＥＣ４４、二次ＭＥＣ４６及び予備ＭＥＣ４８を、１つ又は複数の適切な参照数字４４、４６、４８を付して概括的にＭＥＣと呼ぶ場合もある。一次電力は、発電機３４、３６から、電力供給手段４０、４２を介し、セクションブレーク１８、２０、２２を横切って、各ＭＥＣ４４、４６、４８の一次電力入力に分配される。
【００４３】
フォールトトレランス（fault tolerance）を最適なものとするために、航空機１０は、航空機１０の後部に配置された予備ＭＥＣ４８と、航空機１０の前方セクション、中央セクション、後方セクション１２、１４、１６のそれぞれに配置された少なくとも２つのＭＥＣ４４、４６を含みうる。例えば、図１においては、各航空機セクション内に複数のＭＥＣ４４、４６、４８を設けることによって冗長性を実現することができ、セクションブレーク１８、２０、２２を越える必要はない。好ましくは、予備ＭＥＣ４８に加えて、各セクション１２、１４、１６毎に、一次ＭＥＣ４４及びこれに相当する二次ＭＥＣ４６を設け、ＭＥＣ４４、４６からなる２×３の構成としてもよい。また、異なる４個の航空機セクションがある場合には、ＭＥＣ４４、４６からなる２×４の構成としてもよい。また好ましくは、ＭＥＣ４４、４６、４８は、航空機１０の長さ方向に沿って、互いに対して左側及び右側に交互に離間配置してもよい。なお、本開示は、ＭＥＣ４４、４６、４８の特定の数および配置に限定されるものではない。
【００４４】
装置負荷５０は、航空機に配備される様々な電気的負荷であり、例えば、ディスプレイ、ファン、環境ユニット等を含むが、これらに限定されるわけではない。場合により、装置負荷５０は、列線交換ユニット５２（ＬＲＵ）（図４）であってもよい。各航空機セクション１２、１４、１６内の複数の装置負荷５０は、電力及び通信に関して１つ又は複数の区域(zone)にグループ分けされる。複数のシステムにわたる複数の装置負荷５０が属する各区域は、最も近くにあるＭＥＣ４４、４６と関連付けられて、当該ＭＥＣによる所定の対応(service)を受ける。好ましくは、装置負荷５０の各区域は、単一のセクション内に位置しており、同じ区域内における少なくとも１つのＭＥＣ位置と関連付けられる。好ましくは、接続ワイヤ又はラインは、セクションブレーク１８、２０、２２を横切らない。
【００４５】
一般に、航空機１０内のあらゆる装置負荷５０は、電力と通信データの両方を必要とする。データは、何をすべきかを装置負荷５０に伝えるために、又は、現在の状況についてフィードバックを与えるために必要であり、電力は、意図した機能を装置負荷５０に実行させるために必要である。仮に、一の装置負荷５０に対し、電力とデータとが異なる装置センターから供給される場合には、電力又はデータの一方が途切れると、当該装置負荷５０は不確定な状態となる。このような不確定状態を回避するため、各ＭＥＣ４４、４６、４８は、関連付けられた区域内に局所的に配置された装置負荷５０のそれぞれに対応すべく、他のＭＥＣとは独立に、電力及び通信データの両方を提供する構成とされている。一の装置負荷５０に対する電力及びデータ通信は、同期化又はグループ化されていてもよい。その場合、例えば、当該装置負荷５０に対して提供される電力とデータ通信の両方が、１つの供給源、例えば最も近くにあるＭＥＣ４４、４６、４８に由来する。同期化された電力及び通信データは、しばしばパワーチャネルと呼ばれる。１つの区域内の複数の装置負荷５０が、ある特定のＭＥＣ４４、４６から電力を受け取るように構成されている場合には、これらの装置負荷５０にデータを与えるネットワーク通信スイッチは、その同じＭＥＣ４４、４６によって給電される。
【００４６】
ＭＥＣ４４、４６、４８は、主電源から受け取った電力を分配するように構成されている。ＭＥＣ４４、４６、４８は、それぞれ独立して一次電力を二次電力に変換しうる。二次電力は、ＭＥＣ４４、４６、４８から分配されて、各区域内の装置負荷５０のそれぞれに個別に供給することができ、セクションブレーク１８、２０、２２を横切って延びる二次分岐電力ネットワークは存在しない。この場合、例えば、一次電力の制御及び変換の作業は、航空機１０のそれぞれのセクションにおける各一次ＭＥＣ４４が担うこととなるので、一次電力だけがセクションブレーク１８、２０、２２を横切って複数の一次ＭＥＣ４４間で分配される。好ましい構成においては、高圧電力供給手段及びデータバックボーンのみがプロダクションブレークを横切って配置される。
【００４７】
一次電力だけをセクションブレーク１８、２０、２２を横切って分配することによって、航空機１０の複数のセクションにまたがって二次電力を分配するために必要とされるワイヤの量を減らすことができる。これは、分散型ＭＥＣアーキテクチャが、各セクション内に別個の二次電力分配ネットワークを形成し、これによって二次配線の配線長を短くすることができるからである。こうすることによって、隣接する胴体セクション同士を接合する際に必要とされる二次コネクションの数だけでなく、航空機全体で利用されるワイヤの総重量も減らすことができる。さらに、二次電力配線長が短くなるため、電力供給手段の配線の総ループ面積が、電流リターンネットワークでの構成と比べて短くなる。また、セクションブレークを横切って延びるワイヤの二次電力ネットワークが減る又は無くなるため、航空機生産工程が改善される。セクションブレークを横切って延びる二次電力ワイヤを減少させたことによって、他のセクションに対する依存度が低減されるため、航空機１０の最終組み立て前のより早い段階で、検査及び組み立て品質確認を容易に行うことができる。
【００４８】
図１に示すように、一次電力供給手段４０ａは、左エンジン３０の発電機３４ｂから中央セクション１４に入って中央セクション１４の左側に示したＭＥＣ４４へと延び、セクションブレーク２０を横切って、前方セクション１２の左側に示したＭＥＣ４４に至り、さらに前方セクション１２の前方における左側に示したＭＥＣ４４に至る。一次電力供給手段４０ｂは、左エンジン３０の発電機３４ａから中央セクション１４に入って左側のＭＥＣ４４へと延び、セクションブレーク２２を横切って、左後方のＭＥＣ４４に至り、次に、左後方のＭＥＣ４８に至る。電力供給手段４２ａは、右エンジン３２の発電機３６ａから中央セクション１４に入り、セクションブレーク２０を横切って、前方セクション１２の右側に示したＭＥＣ４４に至り、次に、前方セクション１２の前方における右側のＭＥＣ４４に至る。一次電力供給手段４２ｂは、右エンジン３２の発電機３６ｂから中央セクション１４に入って中央右側のＭＥＣ４４へと延び、セクションブレーク２２を横切って、右後方のＭＥＣ４４に至り、次に、右後方のＭＥＣ４４に至る。このような構成に代えて、電力供給手段４０ａ、４０ｂが、航空機１０の１つ又は複数のセクションにおける右側のＭＥＣ４４に一次電力を供給するようにしてもよい。この場合、電力供給手段４２ａ、４２ｂは、航空機１０の１つ又は複数のセクションにおける左側のＭＥＣ４４に一次電力を供給することになる。
【００４９】
また、左エンジン３０の発電機３４ａ、３４ｂのうちの一方が、ローターバーストゾーン３８の前方における航空機の一方側に一次電力を供給し、左エンジン３０の発電機３４ａ、３４ｂのうちの他方が、ローターバーストゾーン３８の後方における航空機の他方側に一次電力を供給するようにしてもよい。この場合、例えば、右エンジン３２の発電機３６ａ、３６ｂのうちの一方が、ローターバーストゾーン３８の前方における、左発電機３４ａ、３４ｂの一方によって給電された側とは反対側に一次電力を供給する。また、右エンジン３２の発電機３６ａ、３６ｂのうちの他方は、ローターバーストゾーン３８の後方における、左発電機３４ａ、３４ｂの他方によって給電された側とは反対側に一次電力を供給する。
【００５０】
図２は、各エンジンに配備する２つの発電機を、航空機１０のローターバーストゾーン３８を境として分割配置する構成を示している。これは、エンジン３０、３２に動作上の問題が発生した場合でも、一次電力の利用可能性を向上させるものである。仮に、エンジン３０、３２のうちの一方が失われた場合、あるいは、エンジン３０、３２のうちの一方における発電機３４、３６が停止した場合であっても、残りのエンジン３０、３２の残りの２つの発電機３４ａ、３４ｂ、３６ａ、３６ｂが、前方及び後方の両方の一次電力を航空機１０に分配することができる。左エンジン３０の発電機３４ａ及び右エンジン３２の発電機３６ａは、ローターバーストゾーン３８の前方の、前方タイバス７６によって互いに接続された一対の一次電力スイッチングバス９６ａに給電する。左エンジン３０の発電機３４ｂ及び右エンジン３２の発電機３６ｂは、ローターバーストゾーン３８の後方の、後方タイバス７８によって互いに接続された別の一対の一次電力スイッチングバス９６ａに給電する。中央タイバス８０によって、前方の一次電力スイッチングバス９６ａの少なくとも１つが、後方の一次電力スイッチングバス９６ａの少なくとも１つと接続されている。従って、１つのエンジン３０、３２に動作的な不具合が発生した場合でも、残りのエンジン３０、３２から前方及び後方に電力が分配されることによって、航空機１０は、その全長に沿った一方側において、電力及び制御を維持することができる。電力及び制御は、配線の量を増やすことなく、１つのエンジン３０、３２から、ローターバーストゾーン３８の前方及び後方の両方に分配される。図２はまた、以下により詳しく説明するように、装置負荷５０に対する電力の変換及び分配を行うべく、一次電力スイッチングバス９６ａが二次ＭＥＣ４６に電力を分配する構成を示している。二次ＭＥＣ４６には、予備ＭＥＣ４８を接続してもよく、これにより、以下により詳しく説明するように、一次スイッチングバス９６ａが一次主ＡＣ電源を利用できない場合に、バックアップ電力を供給することができる。
【００５１】
１つ又は複数の区域内において、装置負荷５０を機能させるための所定の対応が行われない状態は、主に２つの理由で起こる。発電機３４、３６のすべてが停止し、これによって、ＭＥＣ４４、４６のいずれも一次電力を利用できない状態となったためか、あるいは、ローター又はタイヤのバーストなどの事象によりバス９６の１つ又は複数が物理的に損傷を受けたためである。このような場合、１つ又は複数の主一次電源の停止に基づき、４つの発電機３４、３６のいずれかから、あるいは補助電源ユニット発電機５４から供給される高電圧電力のルート変更が行われる。この変更は、図３の一次電力バスネットワークシステム９０によって示すように、複数のスイッチの組み合わせの開閉によって、タイバス７６、７８、８０を介した一次バスレベルで実現される。１つ又は複数の実施形態において、１つ又は複数の独立型(standalone)ソリッドステートスイッチ、例えば接触器、が、一次電力スイッチネットワークシステム９０に含まれている。各ソリッドステートスイッチは、他の電力システムコンポーネントが利用できるかどうかに関係なく、局所的な保護、電圧感知、及び電流感知のうちの１つ又は複数を実現するように構成された自己充足的な制御機能を有する。独立型ソリッドステートスイッチは、他の電力システムコンポーネントからのデータを必要とせずに機能することができる。ソリッドステートスイッチを開閉することによって、一次電力スイッチングバスの１つ又は複数を通ってＭＥＣ４４、４６、４８の１つ又は複数へと向かう一次電力が遮断あるいは送給される。図３においては、特定の接触器が、最初は閉状態又は開状態のいずれかで描かれている。開状態の接触器を示す記号は２本の平行線である。一方、通常閉状態の接触器は、同じ平行線に斜線を横切らせることで示している。独立型ソリッドステートスイッチは、当該スイッチを通る電流を制限するために、パルス幅変調機能を含んでいてもよい。高電圧バス及び変換の停止に基づくＭＥＣ４４、４６、４８間の二次電力及び低電圧ＤＣのルート変更は、図３に描かれた一次電力バスネットワーク９０によって示されるように、スイッチの組み合わせの開閉によって行われる。
【００５２】
各ＭＥＣ４４、４６、４８は、一次電力及び二次電力の両方を有しており、中央コンピューターシステムに依存せずに、閉ループ処理及びセンサーの局所的制御を独立して行うことができる。分散型電力システム制御アーキテクチャによって、輸送機全体の電力分配ステータスをＭＥＣ４４、４６、４８間で共有することができるが、他のすべてのＭＥＣ４４、４６に対する予備電力の分配も行うＭＥＣ４８を除いて、各ＭＥＣ４４、４６、４８は、各ＭＥＣに近接する装置負荷５０に対し所定の対応をするだけである。各ＭＥＣ４４、４６、４８は、最も近接する装置負荷５０の区域に関連付けられたデータを管理し、これによって、各ＭＥＣ４４、４６、４８は、それ自身の装置負荷５０の区域内で独立して動作を行う。
【００５３】
また、各ＭＥＣ４４、４６、４８は、好ましくは、バス電力制御のためのソリッドステートスイッチングを有し、回路保護も実現する。図３において、発電機３４、３６に接続された一次電力供給手段４０、４２からの電力は、一次電力スイッチングバス９６ａに通電する。各一次電力スイッチングバス９６ａは、ＭＥＣ４４内の一次電力スイッチングバス９６ｂ、及びＭＥＣ４６内のスイッチングバス９６ｃに分岐する。図４に示し且つ以下により詳しく述べるように、分配フィード９８によって一次電力スイッチングバス９６ｂと接続された各一次電力スイッチングバス９６ａは、単一の一次ＭＥＣ４４に通じている。
【００５４】
図４を参照すると、各ＭＥＣ４４における、一次電力スイッチングバス９６ａを備える部分は、高電力部分１２０であり、各ＭＥＣ４４における、一次電力スイッチングバス９６ｂを備える部分は、低電力部分１２２である。一次ＭＥＣ４４の高電力部分１２０は、航空機１０が利用できる任意の高電力主電源から一次電力を受け取るように構成されており、しばしば、一次電力スイッチングネットワーク装置３０２（図１２Ａ〜１２Ｃ）と呼ばれる。航空機１０内の一次ＭＥＣ４４の高電力部分１２０のネットワークは、高電圧一次電力スイッチングネットワークを規定する。
【００５５】
低電力部分１２２は、好ましくは、機内搭載の電源からの電力の一部を処理するものの、高電力部分１２０と同じ電圧を処理することも可能なように構成される。一次電力スイッチングバス９６ｃは、図４に示した二次ＭＥＣ４６に通じている。図４は、二次ＭＥＣ４６と、一次ＭＥＣ４４の低電力部分１２２との類似性を最もよく示している。一次ＭＥＣ４４は、航空機１０内における一次電源のルート変更を行うための、一次電力スイッチングバス９６ａにかかる一次レベル電力ネットワークバス構造を含んでいるが、二次ＭＥＣ４６はこれを有していない。異常動作中だけでなく正常動作中においても、一次及び二次ＭＥＣ４４、４６の両方が、一次電力及び予備電力を有している。二次ＭＥＣ４６は、一次ＭＥＣ４４と同様に、最も近接する装置負荷５０に対して所定の対応を行う。
【００５６】
図３に戻り、分配フィード９８は、各一次ＭＥＣ４４の一次電力スイッチングバス９６ａと９６ｂの間に延びており、分配フィード１００は、一次ＭＥＣ４４の各バス９６ｂと、同じ電源から電力を直接受け取る二次ＭＥＣ４６の一次電力スイッチングバス９６ｃの間に延びている。また、左発電機３４ａに関連付けられた一次ＭＥＣ４４の一次電力スイッチングバス９６ｂと、右発電機３６ａに関連付けられた一次ＭＥＣ４４の一次電力スイッチングバス９６ｂとの間に、クロスタイ１０２が延びている。また、左発電機３４ａに関連付けられた二次ＭＥＣ４６の一次電力スイッチングバス９６ｃと、右発電機３６ａに関連付けられた二次ＭＥＣ４８の一次電力スイッチングバス９６ｃとの間に、クロスタイ１０４が延びている。左発電機３４ｂに関連付けられた一次ＭＥＣ４４の一次電力スイッチングバス９６ｂと、右発電機３６ｂに関連付けられた一次ＭＥＣ４４の一次電力スイッチングバス９６ｂとの間に、クロスタイ１０６が延びている。発電機３４ｂに関連付けられた二次ＭＥＣ４６の一次電力スイッチングバス９６ｂと、右発電機３６ｂに関連付けられた二次ＭＥＣ４６の一次電力スイッチングバス９６ｂとの間に、クロスタイ１０８が延びている。クロスタイ１０２、１０６のそれぞれには、補助電源ユニット発電機５４が接続されている。
【００５７】
図５Ａは、航空機１０内における、一次ＭＥＣ４４、二次ＭＥＣ４６、及び予備ＭＥＣ４８のフォールトトレラントな結合一次及び二次電力分配ネットワークの一構成を示す。より詳細に示すために、図５Ｂ〜図５Ｅは、４つの別個の部分のクローズアップ部分図を示しており、これらを隣り合わせに配置すると図５Ａに示した全体システムとなる。図５Ｂ〜図５Ｅのそれぞれにおける２本の一点鎖線は、各部分図の切れ目を示す。図５Ｂは、図５Ａの左上部分を示す。図５Ｃは、図５Ａの右上部分を示す。図５Ｄは、図５Ａの左下部分を示し、図５Ｅは、図５Ａの右下部分を示す。また、図５Ｆは、図５Ａのシステムの予備ＭＥＣ４８の一構成を示す。図３Ａに示した接触器も、図５Ａ〜図５Ｆに記号で表しているが、図５Ａ〜５Ｆに対しては参照数字が無く、また、これらは、他の図面においても、参照数字の無い状態あるいは異なる参照数字を付して示す場合がありうる。
【００５８】
図５Ａにおいて、一次ＭＥＣ４４及び二次ＭＥＣ４６は、航空機１０の前方セクションに合計４つ存在し、航空機１０の後方セクションにも合計４つ存在するように配置されている。好ましくは、一対の前方セクションのそれぞれに１つの一次ＭＥＣ４４と１つの二次ＭＥＣ４６とが存在し、一対の後方セクションのそれぞれにも１つの一次ＭＥＣ４４と１つの二次ＭＥＣ４６とが存在する。図５Ａは、航空機１０の後方セクション内の予備ＭＥＣ４８も示している。予備ＭＥＣ４８用の非時限(non-time limited)電源としては、例えばＲＡＭエアタービン（ＲＡＴ）１２８があり、他の独立した時限予備電源としては、バッテリーもしくは燃料電池などがある。すべての発電機３４、３６に動作上の不具合が起こった場合、ＲＡＴ１２８を起動することによって、予備ＭＥＣ４８に予備電力の供給が行われる。また、発電機３４ａ、３４ｂ、３６ａ、３６ｂに動作的な不具合が起こった場合、ＭＥＣ４４、４６のうちの１つ又は複数に上記の予備電力が供給される。バッテリー５９８は、非時限ＲＡＴ１２８の起動時に、ＭＥＣ４４、４６のうちの１つ又は複数ならびに予備ＭＥＣ４８に対して一時的な動作電力を供給する。
【００５９】
発電機３４ａ、３４ｂ、３６ａ、３６ｂのうちの１つが停止すると、一次ＭＥＣ４６の一次電力スイッチングバス９６ａにおいて電力が得られない。従って、この非給電一次ＭＥＣ４４の一次電力スイッチングバス９６ｂの低電力部分１２２に接続された装置負荷５０には所定の対応が行われず、また、隣接する非給電の二次ＭＥＣ４６の一次電力スイッチングバス９６ｃに接続された装置負荷５０にも所定の対応が行われない。この場合、接触器の組み合わせを適宜開閉することにより、一次レベルでのルート変更を行い、他の残りの作動状態の電源のうちの１つから電力を送給する。これにより、非給電の一次ＭＥＣ４４の一次電力スイッチングバス９６ａに通電することによって、該当する装置負荷５０に給電するとともに、隣接する任意の非給電の二次ＭＥＣ４６の一次電力スイッチングバス９６ｃに通電することによって、該当する装置負荷５０に給電する。
【００６０】
これに代えて、ＭＥＣ４４、４６、４８に物理的障害が発生し、その結果、その装置負荷５０に給電されない場合、電力送給ルートを変更することによって、給電されている別のＭＥＣ４４、４６、４８から非給電のＭＥＣ４４、４６、４８の装置負荷５０に給電してもよい。ルート変更することができる電力の量に応じて、装置負荷５０のすべて、又は、重要な(critical)負荷のみなどの一部だけに給電を再開してもよい。また、すべての電源が失われ、ＭＥＣ４４、４６、４８に給電されない場合には、燃料電池又はＲＡＴ１２８を備える予備ＭＥＣ４８によって、他のＭＥＣ４４、４６の重要な装置負荷５０に給電することができる。重要な負荷とは、航空機１０が継続して安全な飛行及び着陸を行うために、給電しておかなければならない装置負荷５０のことをいう。これに対し必須の(essential)負荷とは、例えば無線装置やその他の通信装置などのように、備えていることが望ましいが、航空機１０の飛行自体にはその作動が必要なわけではない装置負荷５０のことをいう。また、非必須の(non-essential)負荷とは、食品調理装置、装飾照明、客室娯楽システムなどを含め、例えば乗客の快適性のための負荷など、最も優先度の低い装置負荷５０のことをいう。
【００６１】
一例として、補助電源ユニット発電機５４は、主発電機３４、３６のうちの一方が停止することにより非作動となった装置負荷５０に対して、所定の対応を行うことができる。仮に発電機３４ｂが停止した場合、前方タイバス７６、後方タイバス７８、中央タイバス８０における接触器の組み合わせによって、残りの主発電機３４、３６から一次電力が直接供給される。これに代えて、一次電力は、補助電源ユニット発電機５４から、作動状態の別のＭＥＣ４４、４６を介して、クロスタイ１０２、１０４、１０６、１０８のうちの１つ又は複数を通って、非給電の一次ＭＥＣ４４の一次電力スイッチングバス９６ａ又は非給電の二次ＭＥＣ４６の一次電力スイッチングバス９６ｃに供給することもできる。
【００６２】
ＭＥＣ４４、４６のうちの１つ又は複数が物理的な動作不具合を有する場合、動作的に不具合のあるＭＥＣ４４、４６のそれぞれに関連付けられた区域内の複数の装置負荷５０のすべて又は一部を、最も近接する他のＭＥＣ４４、４６の１つ又は複数と関連付けることができる。例えば、一次ＭＥＣ４４が物理的に停止した場合、その停止したＭＥＣ４４によって所定の対応が行われていた装置負荷５０に対して、別のＭＥＣ４４、４６又はＭＥＣ４４、４６の組み合わせが当該対応を行うようにしてもよい。ＭＥＣ４４、４６は、停止したＭＥＣ４４によって所定の対応が行われていた装置負荷５０のタイプを判定し、ＭＥＣ４４、４６の組み合わせの１つ又は複数が、これらの非給電の装置負荷５０に所定の対応を行うべきかどうかを判断することができる。停止した一次ＭＥＣ４４の最も近接する二次ＭＥＣ４６が追加の装置負荷５０に所定の対応を行うべきであると判断された場合には、その二次ＭＥＣ４６にもともと関連付けられていた区域を拡大し、停止した一次ＭＥＣ４４によって以前は所定の対応が行われていた区域を包含させる。
【００６３】
これに代えて、追加の装置負荷５０を、停止した一次ＭＥＣ４６に近接する二次ＭＥＣ４６と、別の一次ＭＥＣ４６とで、分担してもよい。この場合、最も近接する作動状態の一次ＭＥＣ４４に関連付けられた装置負荷５０の区域を拡大することによって、停止した一次ＭＥＣ４４によって所定の対応が行われていた区域の一部を包含させる一方で、最も近接する作動状態の二次ＭＥＣ４６に関連付けられた装置負荷５０の区域を拡大することによって、停止した一次ＭＥＣ４４によって所定の対応が行われていた区域の残りの部分を包含させる。いずれの場合においても、停止したＭＥＣ４４、４６に近接する１つ又は複数の他のＭＥＣ４４、４６を供給源とすることによって、この停止したＭＥＣ４４、４６によって所定の対応が行われていた装置負荷５０に対し、独立して対応することができる。
【００６４】
各二次ＭＥＣ４６、及び、各一次ＭＥＣ４４の各低電力部分１２２は、変換装置に連結された接触器を含む。変換装置は、２３０ＶＡＣを整流してこれを２８ＶＤＣなどの、バス１３６用の主ＤＣ出力に変換する変圧整流器（ＴＲＵ１３４）と、２３０ＶＡＣを低電力ＡＣ出力バス１４０用の１１５ＶＡＣに変換するためのオートトランス又はオートステップダウントランスユニット（ＡＴＵ）１３８とを含む。各二次ＭＥＣ４６、及び、一次ＭＥＣ４４の各低電力部分１２２は、第２のＴＲＵ１４２をさらに含み、これは、単に冗長性のためだけではなく、継続して安全な飛行及び着陸を行うために欠かすことのできない、重要な負荷のみに電力を供給するためのものである。第２のＴＲＵ１４２を重要な負荷のみに制限することによって、予備電源が過負荷とならないようにすることができる。
【００６５】
図６は、例えば前方セクション１２における、二次電力バス構成を示しており、当該構成においては、一次ＭＥＣ４４の低電力部分１２２の一次電力スイッチングバス９６ｂと、二次ＭＥＣ４６の一次電力スイッチングバス９６ｃとが、結び付けられている。上述したように、別のＭＥＣ４４、４６によって、損傷したＭＥＣ４４、４６の非給電装置負荷５０のすべてに対応するかあるいは一部のみに対応するかは、利用可能な電力次第である。例えば、ある航空機セクション内における１つのＭＥＣ４４、４６の１つのＴＲＵ１３４が停止した場合、その不具合のあるＴＲＵ１３４に接続された装置負荷５０のうち最も重要な負荷に対して、様々の接触器及びバックアップバス１４８を介して二次電力を供給する、同じ航空機セクション内の別のＭＥＣ４４、４６によって、所定の対応が行われうる。
【００６６】
好ましくは、後方セクション１６のＭＥＣ４４、４６は、補助電源ユニット発電機５４と近接しているため、当該発電機からの二次電力タイイン（tie-ins）を有しており、これによって電力供給手段ワイヤ重量を最小限に抑えることができる。また、図２及び図６に示すように、航空機１０の前方セクション１２内のＭＥＣ４４、４６は、外部電源ユニット５６のような外部電力地上サービス装置から、１１５ＶＡＣなどの低電圧レベルで、タイインする。ただし、地上から、前方セクション１２内のＭＥＣ４８の低電力ＡＣ出力バス１４０への１１５ＶＡＣは、双方向ＡＴＵ１３８によって、２３０ＶＡＣなどのより高い電圧に変換することができ、これを、航空機１０の他のセクション内の他のＭＥＣ４４、４６に分配することができる。また、上述したように、通常より重要な負荷に使用される第２のＴＲＵ１４２によって、バックアップバス１４８を経由するバッテリーバス２９４からのバッテリー電力を、失われた重要負荷に供給することができる。
【００６７】
図７に示すように、各ＭＥＣ４４、４６、４８の内部に位置するコンピューティング（ソフトウェア及びハードウェア）及びネットワークインターフェイス（ＣＮＩ）モジュール１６２は、分散型コンピューティング機能及び双方向データのゲートウェイルーティングを実現する。各ＣＮＩモジュール１６２は、２つのフェールセーフのコンピューティングシステムを含み、これらがフォールトトレラントのコンピューティングシステムとなる。各フェールセーフコンピューティングシステムは、互いに対して冗長である。このフォールトトレラントコンピューティングシステムは、ハードウェア及び／又はソフトウェアの突発的な動作不良に対して適切に対応することによって、航空機１０内のシステム機能が損なわれないようにする。ＣＮＩモジュール１６２は、内部システム通信バス（例えば、フレックスレイ、コントローラエリアネットワーク（ＣＡＮ）、ＡＲＩＮＣ６６４、ＴＴＰ、又はその他のバス技術）を介して、内部ＭＥＣコンピューティング機能及び外部ＭＥＣコンピューティング機能に対して、データの送受信を行う。航空機１０の他のＭＥＣ４４、４６、４８は、ＡＲＩＮＣ６６４などのデータネットワーキング仕様を用いて、図７にそれぞれ参照数字１８８及び１９０として示した外部データ通信チャネルＡ及び外部データ通信チャネルＢを介して、ＣＮＩモジュール１６２と通信することになる。
【００６８】
ＣＮＩモジュール１６２は、航空機１０の局所化された区域内で使用される特定のソフトウェアアプリケーションをホストする分散型コンピューティング要素である。ＣＮＩモジュール１６２上でホストすることができるシステムアプリケーションの例としては、ＡＣ及びＤＣ電力システム、貨物ドアシステム、乗客入口ドアシステム、ランディングギアシステム、及び、客室キャビンシステムがある。ＣＮＩモジュール１６２と通信するコンピューティング機能は、ＴＲＵ１３４、ＴＲＵ１４２、ＡＴＵ１３８、ブレーカーモジュール１６６のソリッドステートスイッチ、発電機３４、３６の１つと関連付けられた発電機制御ユニットＧＣＵ１６８、ソリッドステート電力分配モジュール１７０、及び、遠隔データ集信装置である。以下により詳しく説明するように、ＣＮＩモジュール１６２は、ＭＥＣ４４、４６、４８内において、内部データチャネルＡ２０２及び内部データチャネルＢ２０４を介して、ＴＲＵ１３４、１４２、ＡＴＵ１３８、ブレーカーモジュール１６６、ＧＣＵ１６８、電力分配モジュール１７０と通信する。
【００６９】
ＣＮＩモジュール１６２は、これらのコンピューティング機能に対してデータを送受信する。ＣＮＩモジュール１６２は、さらに、他のＭＥＣ４４、４６、４８及び航空機コンピューティングシステムに対して、ステータス及び正常動作性を送受信する。各ＣＮＩモジュール１６２は、他のＭＥＣ４４，４６、４８で起こっていることを把握しつつ、個々のＭＥＣ４４、４６、４８の作業量を管理する。ＭＥＣ４４，４６、４８のＣＮＩモジュール１６２が情報を受信すると、そのコンピューティング機能が、どのシステムがデータを必要とするかを判断し、データの正常性を分析し、あらゆる電力システム異常に反応し、時間的制約のあるタイムセンシティブな情報をそれを必要とするコンピューティング機能に供給し、システムレベル論理アルゴリズムを実行し、飛行機レベルシステム欠陥を報告し、その区域のためのＡＣ及びＤＣ電力の分配を制御する。
【００７０】
図８は、セクションブレーク１８、２０、２２によって区切られた、空間的に分散されたＭＥＣ４４、４６、４８間の通信バスインターフェイスを有するデータネットワーク構造を示している。この構成によれば、故障が起こっても通信を継続可能とするために必要な冗長性がもたらされるだけでなく、個々のＭＥＣ４４、４６、４８のそれぞれが他のＭＥＣ４４、４６、４８と通信することができる。セクションブレーク２０によって、航空機の前方セクション及び後方セクションが規定される。必要なネットワーク通信スイッチの数は、ＭＥＣ４４、４６、４８の数及び希望するフォールトトレランスによって決まる。図８は、３対のネットワークスイッチ１８２ａ〜ｂ、１８４ａ〜ｂ、１８６ａ〜ｂ（以下、一括的及び／又は全体的に「ネットワークスイッチ１８２、１８４、１８６」と呼ぶ場合もある）を備える９個のＭＥＣ４４、４６、４８を示している。各ネットワークスイッチ１８２、１８４、１８６は、インターフェイスしているＭＥＣ４４、４６、４８のそれぞれのＣＮＩモジュール１６２から二次電力を受け取ることができる、レイヤ３ネットワークスイッチなどの多層ネットワークスイッチであってもよい。より多くのＭＥＣ４４、４６、４８が存在する場合は、同じレベルのフォールトトレランスを実現するのに、より多くのネットワークスイッチが必要となるであろう。
【００７１】
各ＭＥＣ４４、４６、４８は、通信チャネルＡ及びＢを有する。各一次ＭＥＣ４４のチャネルＡ及びＢは、別の一次ＭＥＣ４４又は予備ＭＥＣ４８のいずれかの、２つの対応するＡ又はＢスイッチに接続されている。各一次ＭＥＣ４４は、チャネルＡ又はチャネルＢのいずれかに１つのスイッチ１８２、１８４、１８６を有する一方、航空機の後方セクションの予備ＭＥＣ４８は、Ａチャネル及びＢチャネルの両方に一対のスイッチ１８２、１８４、１８６を有する。スイッチ１８２ａ、１８４ａ、１８６ａは、チャネルＡに対応し、スイッチ１８２ｂ、１８４ｂ、１８６ｂは、チャネルＢに対応する。外部通信データ線１９２は、スイッチ間データ線を表す。
【００７２】
一般に、セクションブレーク２０の一方側にある各ＭＥＣ４４のネットワークスイッチは、他の一次ＭＥＣ４４又は予備ＭＥＣ４８の２つのネットワークスイッチに接続されており、これらのＭＥＣ４４、４８の少なくとも１つは、セクションブレーク２０の他方側にあり、１つは航空機１０における反対側にある。例えば、セクションブレーク２０の前方にある前方右の一次ＭＥＣ４４のネットワークスイッチ１８２ａは、セクションブレーク２０の他方側で、後方左の一次ＭＥＣ４４のネットワークスイッチ１８４ａ及び予備ＭＥＣ４８のネットワークスイッチ１８６ａの両方に接続されている。また、セクションブレーク２０の前方にある前方左の一次ＭＥＣ４４のネットワークスイッチ１８２ｂは、セクションブレーク２０の他方側で、後方右の一次ＭＥＣ４４のネットワークスイッチ１８４ｂ及び予備ＭＥＣ４８のネットワークスイッチ１８６ｂの両方に接続されている。予備ＭＥＣ４８のネットワークスイッチ１８６ｂも、航空機１０における反対側のネットワークスイッチ１８４ｂに接続されている。ネットワークスイッチ１８４ａも、予備ＭＥＣ４８のネットワークスイッチ１８６ａに接続されている。
【００７３】
二次ＭＥＣ４６のそれぞれも、他の２つの一次ＭＥＣ４４又は予備ＭＥＣ４８との２つのデータチャネルを有する。外部通信データ線１９６は、一次ＭＥＣ４４のネットワークスイッチから二次ＭＥＣ４４に直接つながるデータ接続を表す。各二次ＭＥＣ４８のチャネルのうちの１つは、セクションブレーク２０の他方側にある一次ＭＥＣ４８の同じチャネルのネットワークスイッチに接続されており、もう１つのチャネルは別の二次ＭＥＣ４６に接続されている。従って、図８には、セクションブレーク２０を横切る８個のデータバスコネクション、及び、セクションブレーク１８、２２のそれぞれを横切る４個のデータバスコネクションが示されている。この構成によれば、航空機内の配線の総重量だけでなく、セクションブレークを横切る通信配線の量も、最小限に抑えることができる。航空機１０のクラウン内及び床内の空間を利用することによって、データバス同士を離間させておくことができる。正常なＣＮＩモジュール１６２は、局所的な環境情報及び他の正常なＣＮＩモジュール１６２からの通信を利用することによって、電力システムの構成の変化に対して適切に対応することができる。
【００７４】
いずれか２つのＭＥＣ４４、４６、４８が給電されると、通信ネットワークがアクティブになり、データが存在する状態となり、これら２つのＭＥＣ４４、４６、４８が互いに十分に通信できるようになる。この通信ネットワークは、一対のＭＥＣ間のどの１つのコネクションが失われても、いずれのＭＥＣ４４、４６、４８の機能性も低下しないという点で、フォールトトレラントなネットワークである。また、ＭＥＣ４４、４６、４８の間でどの２つの通信コネクションが同時に失われても、その結果は、最大でも、ＭＥＣ４４、４６、４８のうちの１つだけとのデータ通信が失われるだけである。
【００７５】
例えば、前方右の一次ＭＥＣ４４のチャネルＡのネットワークスイッチ１８２ａが喪失しても、前方右の一次ＭＥＣ４４に対する通信が完全に失われることにはならない。これは、チャネルＢを介して、前方右の一次ＭＥＣ４４に対する通信を継続しうるためである。チャネルＡを介して前方右の一次ＭＥＣ４４と通信していた他のＭＥＣ４４、４６、４８は、チャネルＢを介して直接通信するか、あるいは、前方右の一次ＭＥＣ４４にチャネルＢを介して接続されている他のＭＥＣ４４、４６、４８を介して通信することができる。また、仮に、前方右の二次ＭＥＣ４４へのチャネルＢコネクションに加えて、前方右の一次ＭＥＣ４４のチャネルＡのネットワークスイッチ１８２ａも失われた場合、前方右の一次ＭＥＣ４４に対する通信は、チャネルＢを介して継続することができるが、前方右の二次ＭＥＣ４４との通信だけは、チャネルＡ及びチャネルＢの両方が喪失するため、失われるであろう。
【００７６】
本開示の１つの態様は、分散型電力制御アークテクチャである。電力のみならず、電力制御も、各ＭＥＣ４４、４６、４８間で分散される。個々のＭＥＣ４４、４６、４８が集める局所的データに基づいて、各ＭＥＣ４４、４６、４８は、関連付けられた区域の独自の電力制御を行い、これによって、他のいずれのＭＥＣ４４、４６、４８に依存する必要なく、該当する装置負荷５０を構成あるいは制御する。電力のルート変更の必要性などの、本当に必要なデータのみが、他のＭＥＣ４４、４６、４８のＣＮＩモジュール１６２に送信される。
【００７７】
地上における航空機１０の通常のパワーアップは、好ましくは、ＭＥＣ４４、４６、４８の順次的なパワーアップである。通常のパワーアップは、バッテリー５９８を介して行われ、当該バッテリーは、静止インバーター２９０及びバックアップバス１４８を介して、ＭＥＣ４４、４６におけるすべての予備バス１６０に給電する。バッテリー５９８が利用できない場合、外部電源ユニット５６から限られた量の外部電力が送給されて、予備ＭＥＣ４８がパワーアップされる。予備ＭＥＣ４８がパワーアップされると、予備ＭＥＣ４８から他の一次及び二次ＭＥＣ４４、４６のそれぞれに電力が分配され、それらのＣＮＩモジュール１６２がパワーアップされ、各ＭＥＣ４４、４６内の接触器が、利用可能な電源で適宜設定される。一方、通常の飛行動作中にＭＥＣ４４、４６が非給電となった場合、順次的なパワーアップは利用されない。ＭＥＣ４４、４６のうちの一つのＣＮＩモジュール１６２が一次電力を有しない場合、２つのＭＥＣ４４、４６間の低電力相互接続、例えば一次ＭＥＣ４４と二次ＭＥＣ４４との分配フィード１００による接続によって、上述したように、非給電のＭＥＣ４４、４６になおも給電する手段が提供される。
【００７８】
ＣＮＩモジュール１６２は、他のＭＥＣ４４、４６、４８からの構成データ(configuration data)だけでなく、他のシステム又はＬＲＵからの入出力通信を読み込む。各ＭＥＣ４４、４６、４８の構成データを送信することによって、他のＭＥＣ４４、４６、４８のそれぞれが、航空機１０の他の場所で何が起きているかを判断することができる。ＣＮＩモジュール１６２は、次に、このデータを用いて、そのＭＥＣ４４、４６、４８内のブレーカー及び接触器の構成設定を行い、次に、その区域内の装置負荷５０についての構成データをチャネルＡ又はＢ上に書き込むことによって、他のＭＥＣ４４、４６、４８に送信し、他のＭＥＣ４４、４６、４８が同じ作業を行うことができるようにする。各ＣＮＩモジュール１６２は、通信入出力及び受信する環境データの有効性をチェックし、必要な場合には、これを精緻化することによって、独自の環境データ及びブレーカーのステータスを決定する。ＣＮＩモジュール１６２は、その区域内の自身のブレーカー及び接触器にどのように命令したいかを把握すると、その構成データを他のＭＥＣ４４、４６、４８へと送信する。
【００７９】
各ＭＥＣ４４、４６、４８のＣＮＩモジュール１６２は、そのＭＥＣ４４、４６、４８に割り当てられた境界線内の装置負荷のみを制御する。個々のＭＥＣ４４、４６、４８の各ＣＮＩモジュール１６２は、他のＭＥＣ４４、４６、４８の装置負荷の構成を設定したり、それらのブレーカー又は接触器をどのような構成設定にするかを決定したりはしない。ただし、すべてのＭＥＣ４４、４６、４８は、互いに作用し合うことによって、航空機１０の一次及び二次電力システムに対して、統一性のある一体的な電力伝送機能をもたらすことが可能である。適切に機能しているＭＥＣ４４、４６、４８のＣＮＩモジュール１６２は、動作上の問題を有するＭＥＣ４４、４６、４８に反応し、付加的な故障を伴う場合であっても、電力タイバス７６、７８、８０、分配フィード９８、１００、及びクロスタイ１０２、１０４、１０６、１０８を介して、電力のルート変更を行うことができる。コンピューティング及びネットワーキングアーキテクチャは、フェールセーフであり、且つ、フォールトトレラントである。ＣＮＩモジュール１６２が動作上の問題を有する場合、当該モジュールが接続された負荷のすべてが、予め定義されたデフォルトの「フェールセーフ」状態に入ることになる。隣接するＣＮＩモジュール１６２は、自身の区域の外にある他の装置負荷を制御する能力又は権限を有していない。
【００８０】
図９に示したＣＮＩモジュール１６２は、ＣＮＩモジュール１６２の一方側にチャネルＡに対応する１つのネットワークスイッチ１８２、１８４、１８６を有し、他方側にチャネルＢに対応する別のネットワークスイッチ１８２、１８４、１８６を有する。両方のネットワークスイッチ１８２、１８４、１８６が、外部データ通信接続を行うための１つ又は複数のポート２０６を有する。ＣＮＩモジュール１６２のそれぞれの側は、以下により詳しく述べるように、ＭＥＣ４４、４６、４８内の内部データ通信接続を行うための１つ又は複数のポート２０８をさらに有する。ＣＮＩモジュール１６２は、チャネルＡ及びチャネルＢのデータ通信を処理することに関連する複数の命令を実行するための２つのマルチコアプロセッサ２４２、２４４を含む。各プロセッサ２４２、２４４は、ポート２０８においてＭＥＣ４４、４６、４８内の通信データを送受信するための命令を処理したり、ポート２０６を介していずれかのネットワークスイッチ１８２、１８４、１８６でＭＥＣ４４、４６、４８の外部の通信データを送受信するための命令を処理したりすることができる。ＣＮＩモジュール１６２の一方側にあるプロセッサ２４２、２４４のうちの１つは、一方の通信チャネルに対応し、ＣＮＩモジュール１６２の他方側にある別のプロセッサ２４４は、もう一方の通信チャネルに対応する。ただし、それぞれのプロセッサ２４２、２４４が、他方の通信チャネル用のネットワークスイッチ１８２、１８４、１８６へのクロスオーバーを有しており、各プロセッサ２４２、２４４が、チャネルＡ及びチャネルＢの両方の通信の読み込み及び処理を行うことができるようになっている。
【００８１】
ＣＮＩモジュール１６２などのＭＥＣ４４、４６、４８のトラスシステムに配置された各コンポーネント又はＬＲＵ５２は、光学的にラベルを読み込むためのバーコードリーダー２４８を含みうる。バーコードリーダー２４８は、ＱＲコードを読み込むためのクイックレスポンス（ＱＲ）コードリーダーであってもよい。バーコード（図示せず）は、ＭＥＣ４４、４６、４８内、あるいは、航空機１０内のバーコードリーダー２４８に近接した他の場所に配置されうる。バーコードリーダー２４８がバーコードを読み込むことによって、ＭＥＣ４４、４６、４８は、識別情報、位置情報、時間追跡情報、及びその他の設定情報などの情報を入力することができ、これによって、ＭＥＣ４４、４６、４８のＣＮＩモジュール１６２のソフトウェアパラメータを設定することができる。例えば、バーコードリーダー２４８が、ＣＮＩモジュール１６２の位置を読み込むことによって、ＭＥＣ４４、４６、４８は、航空機１０のどのセクション又はどの側に当該モジュールが位置しているのかを把握することができる。また、ＣＮＩモジュール１６２の位置を把握することによって、ＭＥＣ４４、４６、４８は、最も近くにある装置負荷５０を把握することができる。設定情報は、他のＭＥＣ４４、４６、４８、航空機１０内の他の場所、又はメンテナンス施設などの航空機１０の外部の中心施設に送信されうる。
【００８２】
以下に説明するように、ＭＥＣ４４、４６、４８から分配される電力の量次第では、ＣＮＩモジュール１６２は、トラスシステムの１つ又は複数の転送層からの１つ又は複数の追加の電力入力２８８（例えば２８ＶＤＣ又は１１５ＶＡＣ、およびパワーレギュレータ２３８）を必要とする場合がある。例えば、２８ＶＤＣが、バーコードリーダー２４８用のユースポイントレギュレータ(point of use regulator)２８０に入力される。各ＣＮＩモジュール１６２は、さらに、１つ又は両方のネットワークスイッチ１８２、１８４、１８６に給電するために、１つ又は複数の他のＭＥＣ４４、４６、４８のＣＮＩモジュール１６２の電力出力２８６から、１つ又は複数のＤＣ電力入力２８４を受け取る。電力入力２８４及びパワーレギュレータ２４６は、１つの電力故障によっていかなる処理チャネル又は通信チャネルも停止することがないように、冗長性をもたらす。
【００８３】
トラスシステムの転送層からの入力２８８によるＭＥＣ４４、４６、４８に対する給電が完全に途絶えても、ＣＮＩモジュール１６２、ネットワークスイッチ１８２、１８４、１８６、パワーレギュレータ２４６及びバーコードリーダー２４８を有するＭＥＣ４４、４６、４８は、なお給電されうる。他のＭＥＣ４４、４６、４８の他のＣＮＩモジュール１６２の冗長な電力出力２８６から送られる１つ又は複数の電力入力２８４のために、非給電状態のＭＥＣ４４、４６、４８のＣＮＩモジュールは、決して電力を失わず、隣接するＭＥＣからの電力をルート変更して、それ自体のＭＥＣ４４、４６、４８の１つ又は複数の転送層をパワーアップすることができる。これにより、ＭＥＣ４４、４６、４８は、その後も、その装置負荷５０の一部又はすべてに対し所定の対応を行うことができる。またＣＮＩモジュール１６２は、十分に機能する状態を維持し、他のＣＮＩモジュール１６２と通信することができるので、ＭＥＣ４４、４６、４８のトラスシステム及び通信ネットワークをアクティブに保つことができる。
【００８４】
図１０Ａ〜図１０Ｄは、図５Ａ〜図５Ｅに示した一次ＭＥＣ４４のそれぞれの高電圧一次電力スイッチングバス構造の様々な構成を示す。どの発電機３４ａ、３４ｂ、３６ａ、３６ｂが４つの一次ＭＥＣ４４のそれぞれに直接給電するか、４つの一次ＭＥＣ４４が前方であるか後方であるか、及び、それらが航空機１０の左側にあるか右側にあるかに基づいて、それぞれをＲ１、Ｒ２、Ｌ１、又はＬ２と呼ぶ場合がある。Ｒ１は、発電機３６ａから一次電力を受け取る前方右の一次ＭＥＣ４４に対応する。Ｒ２は、発電機３６ｂから一次電力を受け取る後方右の一次ＭＥＣ４４に対応する。Ｌ１は、発電機３４ａから一次電力を受け取る前方左の一次ＭＥＣ４４に対応する。Ｌ２は、発電機３４ｂから一次電力を受け取る後方左の一次ＭＥＣ４４に対応する。
【００８５】
図１０Ａは、図５Ａ及び図５Ｂの前方右の一次ＭＥＣ４４（Ｒ１）における、一次電力スイッチングバス９６ａ及びソリッドステートスイッチング装置を有する高電力部分１２０を示す。図１０Ｂは、図５Ａ及び図５Ｃの後方右の一次ＭＥＣ４４（Ｒ２）における、一次電力スイッチングバス９６ａ及びソリッドステートスイッチング装置を有する高電力部分１２０を示す。図１０Ｃは、図５Ａ及び図５Ｄの前方左の一次ＭＥＣ４４（Ｌ１）における、一次電力スイッチングバス９６ａ及びソリッドステートスイッチング装置を有する高電力部分１２０を示す。図１０Ｄは、図５Ａ及び図５Ｅの後方左の一次ＭＥＣ４４（Ｌ２）における一次電力スイッチングバス９６ａ及びソリッドステートスイッチング装置を有する高電力部分１２０を示す。合わせて、図１０Ａ〜図１０Ｄは、各一次ＭＥＣ４４のための接続性を実現することができるソリッドステートスイッチング装置の一般的なアーキテクチャ及びレイアウトを示している。
【００８６】
図１０Ａは、前方右の一次ＭＥＣ４４（Ｒ１）のための一次バス構造、ソリッドステート要素、及び接続を最もよく示したものであり、別の場所に配置された他の一次ＭＥＣ４４と比較してソリッドステート要素の数が最も少ないものである。ただし、他の一次ＭＥＣ４４に対して必要とされる機能性を含めるために、図１０Ａに示した最少の構造を拡大して、追加のソリッドステート要素（仮想線で示す）を含めてもよい。追加のソリッドステート要素は、設置された各ＭＥＣ４４、４６、４８のすべてのスロットに設けてもよいし設けなくてもよい。
【００８７】
４つの一次ＭＥＣ４４のための図１０Ａ〜図１０Ｄに示した４つの構成のそれぞれは、主発電機３４ａ、３４ｂ、３６ａ、３６ｂのうちの１つからの一次電力コネクション２１０、及び、前方タイ又は後方タイ７６、７８のいずれかとのコネクション２１２を有する。各構成は、関連付けられた二次ＭＥＣ４６への出力コネクション２１４も含む。各構成は、２つの高電流ソリッドステート接触器２１６、２１８及び２つの低電流ソリッドステート接触器２２０、２２２も含む。２つの高電流接触器２１６、２１８は、コネクション２２４において、互いに接続されている。一方の高電流接触器２１６は、主一次電力をオンオフするためのコネクション２１０で接続されており、他方の高電流接触器２１８は、一次ＭＥＣ４４が航空機１０の前方セクション又は後方セクションのいずれにあるかに応じて、前方タイ又は後方タイ７６、７８用のコネクション２１２で接続されている。低電流接触器２２０は、関連付けられた二次ＭＥＣ４６用のコネクション２１４に接続されている。他方の低電流接触器２２２は、以下により詳しく説明するように、分配フィード９８と組み合わされて、各一次ＭＥＣ４４の高電力部分１２０と低電力部分１２２との間の電力をオンオフするためのものである。
【００８８】
図１０Ｃに示した左前方の一次ＭＥＣ４４（Ｌ１）は、中央タイ８０からのコネクション２５２と前方タイバス７６用のコネクション２１２の間に、別の高電流接触器２５０を含む。図１０Ｄに示した後方左の一次ＭＥＣ４４（Ｌ２）は、前方左一次ＭＥＣ４４（Ｌ１）が含む追加の高電流接触器２５０に加えて、中央タイバス８０用のコネクション２５２と補助電源ユニット発電機５４用の入力コネクション２６２の間に、別の高電流接触器２６０を含む。また、この後方左の一次ＭＥＣ４４（Ｌ２）は、予備ＭＥＣ４８につながる低電流接触器２３２も含み、高電圧ＡＣ電力が、タイ２７０を介して自動変圧整流器ユニット（ＡＴＲＵ）２７２及びバス２７４に送られる。
【００８９】
図１０Ｂに示した後方右の一次ＭＥＣ４４（Ｒ２）はまた、高電圧ＡＣ電力を有する予備ＭＥＣ４８を、タイ２３４を介してＡＴＲＵ２３６及びバス２４０に接続するための、低電流接触器２３２を含む。４つの構成はすべて、図１０Ａ〜１０Ｄのそれぞれに示すように、２３０ＶＡＣの電力をオンオフするための、低電流接触器２７８などの追加の接触器を有するという選択肢を有する。
【００９０】
製造を容易にし、在庫の利用可能性を向上させるため、図１０Ａ〜図１０Ｄのそれぞれに示した様々なアーキテクチャを再構成し、図１１に示すような、一次電力スイッチングネットワーク装置（ＰＰＳＮＤ）３０２と類似のレイアウトを有する単一の構造とすることができる。これは、上述したように、一次電力スイッチング構成、及び、ＭＥＣ４４が航空機１０内のどこにあるかに応じて、様々な負荷のための任意の接触器２３２、２５０、２６０、２７８を有するものである。各ＰＰＳＮＤ３０２は、各一次ＭＥＣ４４の高電力部分１２０に対応しており、且つ、共通の電源及び出力を共有するように構成されている。また各ＰＰＳＮＤ３０２は、オプションとして追加の接触器２３２、２５０、２６０、２７８を有し、予備ＭＥＣ４８から一次電力を直接受ける、あるいは、補助電源ユニット発電機５４から一次電力を受ける構成とされている。これに際し、上記追加の接触器は、必要に応じて、前方タイバス、後方タイバス、中央タイバス７６、７８、８０と接続される。図５Ｃに示すように、後方右の一次ＭＥＣ４４の高電力の一次電力スイッチングバス９６ａは、タイ２３４によって予備ＭＥＣ４８に接続されている。図５Ｄにおいて、前方左の一次ＭＥＣ４４は、前方タイバス７６を介して前方右の一次ＭＥＣ４４の接触器２１８ａ〜ｃに接続されるとともに、中央タイバス８０を介して後方左の一次ＭＥＣ４４の接触器２５０ａ〜ｃに接続されている。図１０Ｄに示す後方左の一次ＭＥＣ４４は、最も多くの接触器を有している。これは当該ＭＥＣが、後方タイバス及び中央タイバス７８、８０を介して他の複数の一次ＭＥＣ４４に接続され、且つタイ２７０を介して、接触器２３２ａ〜ｃを有する予備ＭＥＣ４８に接続されることによる。
【００９１】
図１２Ａ〜１２Ｃに示した実質的に同一のＰＰＳＮＤ３０２ａ〜ｃは、発電機３４、３６の一方からの三相一次電力を受け取るために、一次ＭＥＣ４４とともに使用することができる。図示のＰＰＳＮＤ３０２ａ〜ｃは、前方右の一次ＭＥＣ４４（Ｒ１）と組み合わせて使用するように表示されているが、これら３つのＰＰＳＮＤ３０２ａ〜ｃは、他のいずれかの一次ＭＥＣ４４用の三相電力を受け取るために使用することもできる。各一次電力供給手段４０、４２は、好ましくは、一次ＭＥＣ４４に接続される４つの導体からなる電力ワイヤであり、導体のうちの３つが、三相電力のうちのＡ相、Ｂ相、又はＣ相のいずれかを搬送する。４つ目の導体は、第４のＰＰＳＮＤに接続される中性線ワイヤとすることができる。
【００９２】
さらに図１１及び図１２Ａ〜１２Ｃを参照すると、Ａ相電力は、図１２ＡのＰＰＳＮＤ３０２ａの一次電力スイッチングバス９６ａに電力供給すべく、コネクション２１０ａで受け取られ、Ｂ相電力は、図１２ＢのＰＰＳＮＤ３０２ｂの一次電力スイッチングバス９６ｂに電力供給すべく、コネクション２１０ｂで受け取られ、Ｃ相電力は、図１２ＣのＰＰＳＮＤ３０２ｃの一次電力スイッチングバス９６ｃに電力供給すべく、コネクション２１０ｃで受け取られる。ソリッドステート要素は、図１２Ａ〜図１２Ｃのそれぞれにおいて正方形で示しており、ソリッドステート要素の組が、図１１に示す接触器２１６、２１８、２２０、２２２、２３２、２５０、２６０、２７８を構成する。
【００９３】
図１２Ａ〜図１２Ｃにおいて、末尾に「ａ」「ｂ」「ｃ」がつく参照数字は、それぞれ、Ａ相の電力、Ｂ相の電力、Ｃ相の電力を使用するコンポーネントを示しうる。ただし、そのような参照数字自体は、電力の特定の相を具体的に指すのではなく、一括的及び／又は全体的に同じコンポーネントのことをいう場合もある。接触器２１０ａ〜ｃは、それぞれ、高電力の一次電力スイッチングバス９６ａ〜ｃに給電する。一次電力は、一次電力スイッチングバス９６ａ〜ｃのそれぞれから出て、接触器２１８ａ〜ｃを介して、前方タイバス７６ａ〜ｃ（又は後方タイ７８ａ〜ｃ−これは一次ＭＥＣ４４が航空機１０の前方セクションにあるか後方セクションにあるかによる）に至る。これに代えて、電力は、前方タイバス７６ａ〜ｃから出て、接触器２１８ａ〜ｃを介して、一次電力スイッチングバス９６ａ〜ｃに至ることもできるであろう。一次電力は、また、コネクション２５２ａ〜ｃにおいて、一次電力スイッチングバス９６ａ〜ｃと関連する接触器２５０ａ〜ｃを介して、中央タイバス８０ａ〜ｃに対して送受給することができるであろう。一次電力は、補助電源ユニット発電機５４から、コネクション２６２ａ〜ｃに接続された電力タイ１３０によって、接触器２６０ａ〜ｃを介して、一次電力スイッチングバス９６ａ〜ｃに供給することもできるであろう。
【００９４】
一次電力は、一次電力スイッチングバス９６ａ〜ｃから、接触器２２０ａ〜ｃを介して、二次ＭＥＣ４６用の出力コネクション２１４ａ〜ｃに供給される。一次電力はまた、一次電力スイッチングバス９６ａ〜ｃから、接触器２２２ａ〜ｃを介して、出力コネクション３９０ａ〜ｃに供給され、分配フィード９８を介して、一次ＭＥＣ４４の低電力部分１２２に供給される。ＰＰＳＮＤ３０２ａ〜ｃの出力コネクション３９０ａ〜ｃからの三相一次電力は、トラスシステムを通って、ＰＰＳＮＤ３０２ａ〜ｃと同じＭＥＣ４４、４８内の他のコンポーネントに送られうる。分配フィード９８は、好ましくは、出力コネクション３９０ａに接続されたＡ相電力用の第１のワイヤ、出力コネクション３９０ｂに接続された第２のワイヤ、出力コネクション３９０ｃに接続された第３のワイヤ、を有する４つのワイヤの導体である。
【００９５】
三相の高電力は、図１２Ａ〜図１２Ｃに示すＰＰＳＮＤ３０２ａ〜ｃ上の出力コネクション３４０ａ〜ｃ又は出力コネクション３４２ａ〜ｃを利用することによって、一次ＭＥＣ４４の高電力部分１２０から、任意の負荷又は補助的な負荷に分配されうる。図１１に示した接触器２３２及び接触器２７８は、図１２Ａ〜図１２Ｃに示した出力コネクション３４０ａ〜ｃ及び出力コネクション３４２ａ〜ｃに対応する。補助的な負荷に対する又は当該負荷からの、２３０ＶＡＣの電力は、ＰＰＳＮＤ３０２ａ〜ｃの接触器２３２ａ〜ｃ、２７８ａ〜ｃによって制御される。ＰＰＳＮＤ３０２ａ〜ｃが、図５Ａ及び図５Ｅに示すように左後方の一次ＭＥＣ４４（Ｌ２）において利用される場合、ＰＰＳＮＤ３０２ａ〜ｃの出力コネクション３４０ａ〜ｃに接続される補助三相負荷の１つは、予備ＭＥＣ４８であろう。そのような場合、予備ＭＥＣ４８から三相電力を供給するタイ２７０は、４本のワイヤからなる導体であり、３つのＰＰＳＮＤ３０２ａ〜ｃのそれぞれに一本のワイヤが接続され、中性線としての第４のワイヤが第４のＰＰＳＮＤ３０２に接続される。図１２Ａ〜図１２Ｃは、異なる２つの三相負荷が直接接続された状態を示しているが、他の多くの三相負荷に対しても、追加のコネクションを有する特定の一次ＭＥＣ４４によって所定の対応を行うことができる。
【００９６】
ＭＥＣ４４、４６、４８のうちの１つ又は複数は、１つ又は複数の絶縁層によって分離された１つ又は複数のデータ及び／又は電力転送層の取り付け構造体を有するトラスシステムを含みうる。トラスは、航空機１０内での簡単な取り付け又は交換を実現できるように構成されており、シートメタル、熱可塑性材料、複合材料、又はその他の適切な材料などの硬質材料又は可撓性材料によって形成することができる。航空機内において、電力又はデータを、トラスシステムの取り付け構造体上の様々な箇所又は航空機内の様々な箇所に送ることができる。２０１３年６月２８日に出願された米国特許出願第１３／９３０，０２４号「トラスインターコネクト（TRUSS INTERCONNECT）」に記載されているように、いくつかの構成において、ビア又はトラスインターコネクトなどの構造によって、１つの層内の１つ又は複数の電力線又はデータ線を、統合されたトラスシステムの１つ又は複数の他の層内の１つ又は複数の電力線又はデータ線と、電気的に接続することができる。また、インターコネクトを用いることによって、統合されたトラスシステムの上面層に取り付けられたＬＲＵを電気的に相互接続したり、電力をトラス内に送ったりトラスからＬＲＵに送ったりすることができる。ＰＰＳＮＤ３０２ａ〜ｃを有するＬＲＵは、導電性のボス（突起）を有している。インターコネクトがＬＲＵを通ってトラスシステムの中に入ると、インターコネクトは、ボスならびにトラスシステムの転送層内へと拡大し、ＬＲＵとトラスシステムとの間に電気的な接続を確立する。
【００９７】
いくつかの構成において、統合されたトラスシステムは、電力システム及びデータシステムの両方を電気的に接続しうる。さらなる構成において、トラスインターコネクトは、統合されたトラスシステムの１つ又は複数の層の間に機械的な接続も確立することができる。追加の構成において、トラスインターコネクトは、繰り返し挿入及び取り出しができるように構成されており、これによってトラスインターコネクトを再利用することができる。
【００９８】
図１３は、ＭＥＣ４４、４６、４８の多層統合トラスシステム５００の分解斜視図である。統合されたトラスシステム５００は、絶縁層５０２ａ〜５０２ｂ（以下、一括的及び／又は全体的に「絶縁層５０２」という）、及び、転送層５０４ａ〜５０４ｃ（以下、一括的及び／又は全体的に「転送層５０４」という）を含みうる。いくつかの構成において、絶縁層５０２と転送層５０４とが交互に配置されることによって、絶縁層が、少なくとも部分的に転送層５０４同士を電気的に切り離している。さらなる構成において、絶縁層５０２は、少なくともその一部が、転送層５０４のうちの１つ又は複数を、転送層５０４のうちの他の１つ又は複数から物理的に切り離すように構成される。また、いくつかの構成において、絶縁層のうちの１つ又は複数は、客室と貨物室の間の煙又は水滴のバリアとして作用しうる。
【００９９】
ＭＥＣ４４、４６、４８のコンポーネントは、取り外し可能にトラスシステム５００に固定することができる。例えば一次ＭＥＣ４４の高電力部分１２０に対応する、図３の電力バスネットワークシステム９０の一部は、ＰＰＳＮＤ３０２ａ〜ｃと共に、トラスシステム５００の上面絶縁層５０２ａに取り付けられたＬＲＵ５２に収容される。ＬＲＵ５２内には、電力バスネットワークシステム９０と共に、マイクロプロセッサが設けられており、これが、ＣＮＩモジュール１６２からチャネルＡ及びチャネルＢのデータ入力を受信することによって、すべての接触器２１６、２１８、２２０、２２２、２３２、２５０、２６０、２７８を制御する。
【０１００】
三相一次電力５０６ａ〜ｄ（以下、一括的及び／又は全体的に「三相一次電力５０６」という場合もある）が、主発電機３４、３６のうちの１つから、電力バスネットワークシステム９０内のＰＰＳＮＤ３０２ａ〜ｃに供給される。Ａ相の電力５０６ａ、Ｂ相の電力５０６ｂ、Ｃ相の電力５０６ｃ、又は３つのすべてが、出力コネクション３９０ａ〜ｃから、絶縁層５０２を通って、トラスシステム５００の１つ又は複数の転送層５０４に送られうる。三相一次電力５０６の中性線５０６ｄも、絶縁層５０２を通って、トラスシステム５００の１つ又は複数の転送層５０４に送られうる。通信データは、１つのＭＥＣ４４、４６、４８から、２つのデータチャネル１８８、１９０（通常チャネルＡ及びＢとよばれる）を介して、任意の他のＭＥＣ４４、４６、４８に送信される。図１３に示すように、トラスシステム５００の取り付け構造体は、トラスシステム５００に取り付けられたシステムコンポーネントに別々の通信チャネルを提供するように構成された別個の層を備える。データチャネル１８８、１９０の両方が、絶縁層５０２を通って、トラスシステム５００の１つ又は複数の転送層５０４に繋がっていてもよい。例えば、転送層５０４ａは、データ転送経路５３６を含み、転送層５０４ｂは、データ転送経路５３８を含む。データ転送経路５３６、５３８は、転送層５０４ｃなどの１つ又は複数の層５０２、５０４によって、互いに隔てられていてもよい。ＰＰＳＮＤ３０２を有する電力バスネットワークシステム９０と、ＣＮＩモジュール１６２との間でやりとりされるデータ通信は、データチャネル１８８、１９０を介して送受信される。データチャネル１８８は、転送層５０４ａの転送経路５３６を通り、データチャネル１９０は、転送層５０４ｂの転送経路５３８を通る。
【０１０１】
いくつかの構成において、転送層５０４は、１つ又は複数の電力転送経路、データ転送経路、又はこれら両方を含むように構成される。例えば、転送層５０４ｃは、三相一次電力５０６のうちのＢ相電力５０６ｂ及び中性線５０６ｄに対応する電力転送経路５１２ａ及び５１２ｂを含みうる。電力転送経路５１２ａは、例えば２３０ＶＡＣのＢ相電力を受け取り、図１３に示したＣＮＩモジュール１６２などの、トラスシステム５００に取り付けられた別のＬＲＵ５２に転送する。転送経路５１２ｂは、中性線５０６ｄを介して、ＣＮＩモジュール１６２から、ＰＰＳＮＤ３０２のうちの１つに戻る電流リターン経路である。
【０１０２】
各ＭＥＣ４４、４６、４８は、複数のＭＥＣ４４、４６、４８からの二次電力を分配するための少なくとも１つの電力分配モジュール１７０も含む。各電力分配モジュールは、１つ又は複数のＬＲＵ５２として構成することができる。各電力分配モジュール１７０は、好ましくは、三相すべてを受け取るが、それらを複数の単相リードにバランスよく分配する。図１３に示すように、Ａ相５０６ａ及びＢ相５０６ｂは、トラスシステム５００の２つの異なる転送層５０４を通って、電力分配モジュール１７０に供給される。次に、各電力分配モジュール１７０は、単層の二次電力を、それぞれ特定のＭＥＣ４４、４６、４８に割り当てられた区域内の低電力装置負荷５０に分配する。各ＭＥＣ４４、４６、４８に関連付けられた複数の装置負荷５０は、好ましくは、３つの電力相に対して均等に分配される。好ましくは、低電力装置負荷５０のそれぞれは、ツイストペア導体によって、電力分配モジュール１７０に接続されている。本出願は、図面の１つ又は複数において、特定の数の接続を示しているが、利用可能な二次電力の量に応じて、任意の数の装置負荷５０に対して、ＭＥＣ４４、４６、４８による所定の対応を行うことができる。
【０１０３】
図１４は、トラスシステムのいくつかの層を有する一次ＭＥＣ４４を示す。一次ＭＥＣ４４は、ＴＲＵ１３４、１４２、ＡＴＵ１３８、ＣＮＩモジュール１６２、電力分配モジュール１７０、及び、ＰＰＳＮＤ３０２を含む。一次ＭＥＣ４４は、ＰＰＳＮＤ３０２を含むが、ＭＥＣ４６、４８は含まない。二次ＭＥＣ４６は、ＰＰＳＮＤ３０２を含まない点を除き、図１０ＢのＭＥＣ４４と同様に図示することができる。２つのＴＲＵ１３４、１４２、ＡＴＵ１３８、ＣＮＩモジュール１６２、電力分配モジュール１７０、及び、ＰＰＳＮＤ３０２は、相互接続メカニズム５６２を挿入することによって、転送層５０４内のトレース又は金属化されたインターコネクトに電気的に相互接続される。相互接続メカニズム５６２は、ＴＲＵ１３４、１４２、ＡＴＵ１３８、ＣＮＩモジュール１６２、電力分配モジュール１７０、及び、ＰＰＳＮＤ３０２のそれぞれを通って、各転送層５０４内のビア５６６内に挿入されている。
【０１０４】
トラスシステムは、チャネルＡ用のトレース５３６を有する転送層５０４ａ、及び、チャネルＢ用のトレース５３８を有する転送層５０４ｂを含む。ＴＲＵ１３４、１４２、ＡＴＵ１３８、電力分配モジュール１７０、及び、ＰＰＳＮＤ３０２のそれぞれは、専用のチャネルＡトレース５３６及び専用のチャネルＢトレース５３８に接続されている。ただし、各転送層５０４におけるトレース５３６、５３８の数は、プロトコルに依存する。他の実施例において、ＴＲＵ１３４、１４２、ＡＴＵ１３８、電力分配モジュール１７０、及び、ＰＰＳＮＤ３０２は、すべて、同じチャネルＡトレース５３６及び同じチャネルＢトレース５３８に接続することもできるであろう。
【０１０５】
図１４におけるトラスシステムは、転送層５０４ｃ、５０４ｄ、５０４ｅ、５０４ｆも含む。転送層５０４ｃは、ＭＥＣ４４、４６、４８のトラスシステム及びそれに接続されたシステムに給電するための、２３０ＶＡＣなどの三相一次電力５０６に対する複数のトレース５７０を含む。それぞれのトレース５７０は、Ａ相の電力５０６ａ、Ｂ相の電力５０６ｂ、Ｃ相の電力５０６ｃ、及び中性線５０６ｄに対応する。２つのＴＲＵ１３４、１４２、ＡＴＵ１３８、ＣＮＩモジュール１６２及びＰＰＳＮＤ３０２は、ビア５６６を介して、相互接続メカニズム５６２によって転送層５０４ｃのトレース５７０に接続されている。三相一次電力５０６は、発電機３４、３６からＰＰＳＮＤ３０２を通って転送層５０４ｃに供給される。その後、２つのＴＲＵ１３４、１４２、ＡＴＵ１３８及びＣＮＩモジュール１６２は、転送層５０４ｃのトレース５７０から三相一次電力５０６を受け取ることによって、給電される。
【０１０６】
二次電力は、ＴＲＵ１３４、１４２及びＡＴＵ１３８から、転送層５０４ｄ、５０４ｅ、５０４ｆに分配される。転送層５０４ｄ、５０４ｅは、２８ＶＤＣなどの低電圧の層であり、それぞれが、正のトレース５７４、負のトレース５７６、及び、中性のトレース５７８を含む。これらの転送層５０４のうちの１つ、例えば転送層５０４ｅは、ＲＡＴ１２８又は燃料電池から第２のＴＲＵ１４２を介して、予備の電力を供給しうる。転送層５０４ｄ、５０４ｅのトレース５７４、５７６、５７８からの２８ＶＤＣの電力は、電力分配モジュール１７０に分配される。転送層５０４ｆは、Ａ相の電力５８０、Ｂ相の電力５８２、Ｃ相の電力５８４及び中性線５８６を含む、１１５ＶＡＣなどの低電圧の三相の層である。転送層５０４ｆのトレースからの１１５ＶＡＣの電力も、電力分配モジュール１７０に分配される。
【０１０７】
電力分配モジュール１７０は、ツイストシールド導体ペア３１４によって装置負荷５０に二次電力を分配するために、二次電力用の転送層５０４ｄ、５０４ｅ、５０４ｆのトレースに接続され、且つ、チャネルＡ及びＢ２０２、２０４用のトレース５３６、５３８に接続されている。一次電力は電力分配モジュール１７０から分配されないので、電力分配モジュール１７０は、三相一次電力５０６の転送層５０６ｂには接続されていない。トラスの転送層５０４ａ、５０４ｂのチャネルＡ及びＢ２０２、２０４からの通信データは、電力分配モジュール１７０が、装置負荷５０にサービスすべくツイストシールド導体ペア３１４に対する二次電力をいつオンオフするかを制御する。
【０１０８】
図１４に示すように、ＣＮＩモジュール１６２は、ＭＥＣ４４、４６、４８のトラスシステムの各層５０４におけるすべてのトレースに接続されている。ＣＮＩモジュール１６２に対して複数の電圧入力が存在するので、パワーレギュレータが、必要とされる電圧への変換を行う。１つ又は複数の層５０４上のいずれかのトレースが給電状態になると、ＣＮＩモジュール１６２はアクティブになる。例えば、すべてのＭＥＣ４４、４６、４８が一次電力を失った場合、ＲＡＴ１２８又は燃料電池によって予備ＭＥＣ４８に電力を供給し、これによって、予備の層５０４ｅのトレース５７４、５７６、５７８に給電することができるであろう。転送層５０４ｅのトレース５７４、５７６、５７８内の電力によって、ＣＮＩモジュール１６２を作動させることができるであろう。ＣＮＩモジュール１６２はまた、ネットワークスイッチ１８２、１８４、１８６で使用するための通信データを、転送層５０４ａ、５０４ｂのトレース５３６、５３８のそれぞれから、チャネルＡ及びＢ２０２、２０４の両方を通じて受信する。
【０１０９】
図１４はまた、好ましくはＭＥＣ４４、４６、４８のトラスシステムの転送層５０４上に配置されたバリア５８８も示している。図１７に示すようにトラスシステムが床構造内に配置された場合、当該バリアは、貨物室から煙が客室に入るのを阻止するための煙バリアとして機能したり、航空機１０内のどこかに水滴が落ちるのを防ぐための水滴バリアとして機能したりする。例えば、バリア５８８は、ＭＥＣ４４、４６、４８の電気コンポーネントに水滴が落ちるのを防ぐことができるであろう。バリア５８８に代えて、あるいはこれに加えて、絶縁層５０２のうちの１つ又は複数を、煙及び／又は水滴バリアとすることもできるであろう。例えば、トラスシステムの一番上の絶縁層５０２を、水及び煙に対するバリアとして作用するように構成することができるであろう。
【０１１０】
既存の複合材航空機において、電流リターンネットワークは、フォールト電流リターン経路、個人の安全の保護経路、及び、航空機システムの雷防護経路を提供する。ただし、上で説明したように、電流リターンネットワークによって、かなりのワイヤ重量が航空機に追加されることは望ましいものではない。
【０１１１】
さらに、これらの既知の航空機の電流リターンネットワークは、電圧オフセットが大きくなりがちである。電流リターンネットワーク上には、ＡＣおよびＤＣ電圧の双方が存在しうる。電流リターンネットワーク上における航空機内のすべての装置負荷のリターン電流は累積的であり、電源接地点から負荷接地点までの間において電流リターンネットワークに沿って電圧降下が生じる。電流リターンネットワークに沿った電圧降下は、電源接地点を起点として航空機の後ろに向かうほど増加し、その大きさは、電流リターンネットワークのインピーダンス及びそれを通る電流に比例する。
【０１１２】
図１５は、三相（３φ）の一次電力５０６が、主発電機３４、３６のうちの１つ又は複数から、絶縁された複数のＴＲＵ１３４及び絶縁されていない複数のＡＴＵ１３８に送られる様子を概略的に示している。図１５によく表れているように、ＴＲＵ１３４及びＡＴＵ１３８は、分散型アーキテクチャの一部として、航空機内に分散配置されている。少なくとも１つのＴＲＵ１３４及び少なくとも１つのＡＴＵ１３８が、ＭＥＣ４４、４６、４８のうちの１つに対応する。ＴＲＵ１３４は絶縁されているので、どこでも都合のよい場所で接地することができる。また、ＴＲＵ１３４は分散されており、ＴＲＵ１３４は互いに異なる場所で接地することができるので、ＤＣリターン電流は、それぞれのＭＥＣ４４、４６、４８に対して局所的なままである。ただし、リターン電流は、もはや累積的ではなく、ＤＣオフセット電圧はゼロである。
【０１１３】
図１６は、ＡＴＵ１３８又はＴＲＵ１３４からＡＣ電力又はＤＣ電力が分配される様子を概略的に示している。ただし上でより具体的に説明したように、一次電力５０６はまず電力変換装置に分配され、次に電力分配モジュール１７０に分配される。なお、電力分配モジュール１７０は、各低電力装置負荷５０に対し、複数のツイストシールド導体を介して接続されており、それぞれの導体を流れる電流は、実質的に大きさが同じで方向が反対である。実際には、導体を流れる電流の大きさは、わずかに異なりうる。一例として、ツイストシールド導体ペア３１４は、パワー導体３１０と、中性線又はリターン導体３１２とを含む。中性線導体は、三相電力供給手段に接続されていてもよい。
【０１１４】
一次電力５０６を変換した後、ＡＣ電力は、各ＡＴＵ１３８から、パワー導体３１０によってＡＣ装置負荷５０ａに分配され、電流は、各ＡＣ装置負荷５０ａから、ツイストシールド導体ペア３１４の対応するリターン導体３１２を介して戻される。ＤＣ電力は、各ＴＲＵ１３４から、パワー導体３１０を介して、ＤＣ装置負荷５０ｂに供給される。電流は、各ＤＣ装置負荷５０ｂから、ツイスト導体ペアの対応するリターン導体３１２を介して戻される。
【０１１５】
Ａ相の電力５０６ａ、Ｂ相の電力５０６ｂ、及びＣ相の電力５０６ｃは、発電機３４、３６から分配される。図には、三相一次電力５０６用の発電機３４、３６からの第４のワイヤも描かれており、これは中性線５０６ｄである。ＡＣ装置負荷５０ａのそれぞれは、中性線５０６ｄに接続された、破線で示すシールド終端ワイヤ５９０を含み、ＤＣ装置負荷５０ｂのそれぞれは、中性線５０６ｄに接続された、同じく破線で示すシールド終端ワイヤ５９２を含む。装置負荷５０ａ及び５０ｂは、それぞれ、シールド終端ワイヤ５９０、５９２によって中性線５０６ｄに接続されているが、負荷リターン電流はもはや累積的ではない。図１６において、中性線５０６ｄの一部は、電流リターンネットワーク（ＣＲＮ）として表れるように構成されているが、これは単に、局所化された二次電力分配にツイストワイヤ導体ペアによる小さいループを使用した結果、電圧差がゼロになることを示すためである。航空機１０のＭＥＣ４４、４６、４８間の、分配された三相一次電力５０６の中性線５０６ｄは、安全用接地バス（ＳＧＢ）と呼ばれることがあり、ＣＲＮの一部として通常利用される導体よりもずっと小さい。従って、ＣＲＮは、ツイストワイヤ導体ペアによる局所化された二次電力分配を有する複合材航空機１０では、もはや必要とされない。本構成では、ツイストワイヤ導体ペアが、電流リターンを可能とする。また、ツイストワイヤ導体ペアによって形成されるループの断面積は、ＣＲＮの大きなループによって形成される断面積よりもかなり小さく、これにより、複合材航空機１０に対する落雷による悪影響を低減する。比較すると、ツイストペアの導体は、例えば約１６〜約２０米国ワイヤゲージ（ＡＷＧ）であるが、ＣＲＮの導体は、約２ＡＷＧ又はそれより大きい直径である。
【０１１６】
図１６は、航空機１０の前方セクション、中央セクション、及び、後方セクションに配置された複数の一次ＭＥＣ４４間における、発電機３４、３６からの一次電力の分配も示している。各一次ＭＥＣ４４は、上述したように、それぞれ装置負荷５０ｂ及び装置負荷５０ａに対し所定の対応を行うためのＴＲＵ１３４及びＡＴＵ１３８を含む。電力は、各ＭＥＣ４４から、ツイストシールド導体ペア３１４によって、各装置負荷５０に分配される。図１６は、補助負荷５２０に２３０ＶＡＣを供給する一対のＭＥＣ４４も示している。図１２Ａ〜図１２Ｃ及び該当する記載部分で説明したように、補助的な負荷に対する又は当該負荷からの２３０ＶＡＣの電力は、一次ＭＥＣ４４のＰＰＳＮＤ３０２の接触器２３２、２７８によって制御される。
【０１１７】
図１６は、最前方の一次ＭＥＣ４４による所定の対応を受ける、アビオニクスなどの複数のＬＲＵ５２も示している。図１６は、予備電力を供給するためのバッテリー５９８も示している。図１６においては、バッテリー５９８は、最も前方の一次ＭＥＣ４４のみに予備電力を供給しているが、バッテリーの予備電力は、好ましくは、すべての一次ＭＥＣ４４に供給される。
【０１１８】
図１７は、統合されたトラスシステム６００を示しており、これは、航空機の製造において、上記で説明したような１つ又は複数の電力及びデータ転送経路を提供するために使用しうるものである。１つ又は複数のＭＥＣ４４、４６、４８は、輸送機システム、ＭＥＣ４４、４６、４８のコンポーネント、装置負荷５０、ＬＲＵ５２、又は他の装置のうちのすべて又は一部を取り付けるための支持又は取り付け構造体として、トラスシステム６００を含みうる。
【０１１９】
トラスシステム６００による取り付け構造体は、複数の個別構成要素から成るマルチパーツ式あるいはモジュール式のアセンブリであってもよい。これらの構成要素は、積み重ねたり、取り外し可能に連結したり、互いに固定したりすることが可能であり、単一の構造体として航空機１０内に設置しうる、統合された取り付け構造体を形成することができる。各構成要素は、上述したような１つ又は複数の転送層及び１つ又は複数の絶縁層を有しうる。マルチパーツ式トラスシステム６００の各構成要素は、互い対して取り外し可能であってもよく、これによって、損傷を受けていない構成要素を航空機１０から取り外すことなく、損傷を受けた構成要素のみを修理又は交換することができる。各構成要素の１つ又は複数の層も、交換することができる。また、トラスシステム６００全体を取り外すことなく、トラスシステム６００の１つの要素を交換することもできるであろう。また、トラスシステム６００の全体又は少なくとも一部は、例えば床ビーム又は胴体フレーム部材などの航空機１０の支持構造体から取り外し可能であってもよい。これに代えて、トラスシステム６００を、まるごと設置又は交換される単一の一体構造体として製造してもよい。トラスシステム６００は、胴体の側壁内の薄い構造空間、すなわちフレーム部材同士の間およびフレーム部材の深さによって規定された空間内を延びるように構成されているか、あるいは、床内の空間、すなわち航空機１０の客室と貨物室との間および床ビームの深さによって規定された空間内を延びるように構成されている。これに代えて、トラスシステム６００などのトラスは、従来の装置ベイ内に設けるように構成された物理的形状を有することもできるであろう。航空機１０の側壁内に取り付けられるトラスシステム６００は、好ましくは、航空機１０の胴体の曲率に対応している。図１７は、シートレール６１０の下で、横方向に延びる床ビーム６０８の間を、側壁から側壁へと延びるよう構成されたトラスシステム６００を見上げた状態の底面図である。トラスシステム６００などのトラスシステムによって航空機１０の床又は側壁内に配置されたＭＥＣ４４、４６、４８は、航空機１０の客室内及び貨物室内における、当該ＭＥＣ４４、４６、４８に近接する装置負荷５０に対して所定の対応を行うことができる。
【０１２０】
トラスシステム６００は、隣接する２つの内側床ビーム６０８の上側を延びる小幅の中間部分と、これら２つの内側床ビーム６０８の両側から外側に向かって次の床ビーム６０８まで延びる両端部分とを有する構成とすることによって、電力分配モジュール１７０などのコンポーネントを取り付けるための広い面を有している。１つ又は複数の実施形態において、トラスシステムは、隣接する床ビーム６０８同士の間、又は、互いに離間した床ビーム６０８同士の間において所定の幅および長さを有することで、貨物室からの煙が客室に入ることを防ぐための煙バリアとして、及び／又は、客室からの水滴が貨物室に落ちることを防ぐための水滴バリアとして機能するのに適した構成とされている。
【０１２１】
図１７はさらに、一次ＭＥＣ４４のトラスシステム６００に取り付けられたＣＮＩモジュール１６２、電力分配モジュール１７０、ＴＲＵ１３４、１４２、ＡＴＵ１３８、ＰＰＳＮＤ３０２を示している。ＴＲＵ１３４は、ＰＰＳＮＤ３０２の出力コネクション３９０からの２３０ＶＡＣを受け取る。ＴＲＵ１３４は、電力分配モジュール１７０に給電するために、２８ＶＤＣの電力バスに接続する。各電力分配モジュール１７０は、一次ＭＥＣ４４と関連付けられた装置負荷５０とインターフェイスするためのコネクション５９６を有する。
【０１２２】
トラスシステム６００の各構造要素は、上述したように、１つ又は複数の転送層及び絶縁層を有している。転送層のうちの１つは、ＭＥＣ４４、４６、４８の１つの部分から、同じＭＥＣ４４、４６、４８の別の部分に高電圧電力を転送するように構成されうる。例えば、高電圧電力は、トラスシステム６００内で、転送層を介して、ＬＲＵ５２として構成されるとともにトラスシステム６００の表面に取り付けられたＰＰＳＮＤ３０２に供給されうる。低電圧二次電力も、トラスシステム６００の別の転送層を通って、トラスシステム６００の表面に取り付けられた低電力装置負荷５０に供給されうる。また、通信データも、トラス６００の転送層を介して、トラスシステム６００の表面に取り付けられた航空機システムのコンポーネントに供給することができる。トラスシステム６００の１つの転送層は、トラスシステム６００の表面に取り付けられたシステムコンのポーネントにチャネルＡを提供することができ、別の転送層は、同じシステムにチャネルＢを提供することができる。
【０１２３】
１つあるいは複数の例において、航空機１０は、当該航空機１０の特定の環境下で電力要素及びデータ要素と共に用いるように構成された１つ又は複数の遠隔ＭＥＣ（ＲＭＥＣ）４１０を含んでいてもよい。ＲＭＥＣ４１０は、一次又は二次ＭＥＣ４４、４６をよりシンプルしたもので、ＴＲＵ１３４、１４２や、ＡＴＵ１３８などの電力変換装置を備えていない。ＲＭＥＣ４１０に対する二次電力の供給は、ＭＥＣ４４、４６、４８のいずれによって行ってもよい。また、１つ又は複数の別個の二次電力をＲＭＥＣ４１０に入力してもよい。このような二次電力は、最も近接する一次又は二次ＭＥＣ４４、４６における１つ又は複数の電力分配モジュール１７０から供給され、その電圧は、当該ＲＭＥＣ４１０に関連付けられた負荷用の特定の電圧である。ローカルサブシステムの負荷にＡＣ電力が必要な場合には、ＰＰＳＮＤ３０２から直接ＲＭＥＣ４１０にＡＣ電力を供給してもよい。
【０１２４】
各ＲＭＥＣ４１０は、局所的に電力が供給され且つコンピューティング機能が実行されるように、二次電力及び通信の分配を行うが、これは特に当該ＲＭＥＣ４１０に近接するローカルな航空機システム装置及びコンポーネントを対象としたものである。ＲＭＥＣ４１０は、個別の二次電力を分配する機能を有する一方、電力変換装置を含まないので、ローカルのセンサー及びコンポーネントとＭＥＣ４４、４６との間の配線量が少なくなる。このため、航空機全体のワイヤ重量及び航空機１０にわたるワイヤの複雑さが低減され、航空機１０の組立を迅速に行えるようになる。また、組立て確認（build verification）が簡単になり、航空機の最終的な組み立てが迅速化される。これは、ＲＭＥＣ４１０を他の装置（当該ＲＭＥＣにデータを供給し且つ当該ＲＭＥＣから命令及び電力を受け取るように構成された装置）とともに、単一ユニットシステム内（乗客入口ドアシステム又はメインランディングギアシステムなど）に収容することが可能であり、このようなシステムに対する製品適格性の確認を、当該システムを航空機１０内に設置する前又は設置直後に行うことができるからである。
【０１２５】
ＲＭＥＣ４１０は、航空機１０における加圧されたエリア並びに非加圧エリアで使用することができる。ＲＭＥＣ４１０は、航空機の加圧部分の外部から加圧部分に通信を送ることができる。例えば、ＲＭＥＣ４１０は、ノーズホイール格納部(well)エリアあるいはメインホイール格納部(well)エリアにおいて使用してもよく、これらのエリアには、例えば、ランディングギアシステム、ノーズホイールステアリングシステム、ブレーキシステム、油圧システムなどが設けられている。また、ＲＭＥＣ４１０は、ドア表示システム、フライトロックシステム、非常用電源、及び、前方又は後方貨物ドアシステムを有する乗客入口ドアエリア及び貨物ドアエリアにおいて使用してもよい。ＲＭＥＣ４１０は、エンジンデータ集信装置システムならびに主翼フラップ及びスラットシステムを有する主翼エリア及びエンジンエリアで使用することもできるであろう。ＲＭＥＣ４１０を使用しうる他のエリアは、化粧室、ギャレー、照明装置、乗客シートの電力システム用のキャビン領域である。ＲＭＥＣ４１０は、パネルコンポーネント及びウィンドウ加熱システムを有するフライトデッキエリア、ならびに、前方及び後方貨物取扱システムを有する貨物室エリアにおいて使用してもよい。ＲＭＥＣ４１０は、環境制御及び冷却システムにおいて使用してもよい。
【０１２６】
図１８に示すように、１つ又は複数の例において、航空機１０は、乗客入口ドアシステム４０４、前方貨物ドアシステム４０６、及び、後方貨物ドアシステム４０８のそれぞれ用のＲＭＥＣ４１０、２つのノーズホイールシステム用の一対のＲＭＥＣ４１０、２つのメインホイール格納部システム用の一対のＲＭＥＣ４１０、コックピットのパネル用のＲＭＥＣ４１０、左及び右のメインエンジンデータ集信装置用のＲＭＥＣ４１０、左及び右主翼スラット用のＲＭＥＣ、ならびに、左及び右主翼フラップ用のＲＭＥＣ４１０を含む。
【０１２７】
図１９は、フォールトトレラントな電力及び通信システム４１２を有するＲＭＥＣ４１０のブロック図である。ＲＭＥＣ４１０は、ＲＭＥＣ４１０に近接する航空機サブシステムのニーズに応じてカスタマイズ可能である。ＲＭＥＣ４１０へ電力を供給するための電気回路はすべて、ＬＲＵ５２に収容することができる。その場合、特定のローカルサブシステムのセンサー及び他のコンポーネントは、ＲＭＥＣ４１０のＬＲＵ５２とインターフェイスする。これにより、いくつものワイヤの束が航空機１０の加圧されたヴェセル（vessel）内に貫通して延びるのを回避することができる。ローカルサブシステムのセンサー又はコンポーネントのいずれかと関連付けられたワイヤは、航空機１０の加圧されたヴェセル内に貫通して戻るのではなく、ＲＭＥＣ４１０に直接インターフェイスすることによって、ＲＭＥＣ４１０に近接して配置される。好ましくは、加圧されたヴェセルの外側の装置と、ＭＥＣ４４、４６、４８に関連付けられたＲＭＥＣ４１０の区域内における装置との間には、直接の電力経路およびデータ経路は存在しない。ＲＭＥＣ４１０の関連付けられた区域内における複数のソースからのデータを１つの経路に結合する集信装置を用いることによって、航空機１０の加圧部分内への貫通の程度を最小限にすることができる。例えば、Ａ及びＢのデータチャネル１８８、１９０及び２つのツイストシールド導体ペア３１４のみが、ＲＭＥＣ４１０に対して二方向通信及び二次電力を供給すべく、航空機１０の加圧部分を貫通する。ＲＭＥＣ４１０は、航空機１０の加圧部分の外から、航空機１０の加圧部分に通信を送ることができる。ＲＭＥＣ４１０は、二次ＤＣ電力を得るために一次ＭＥＣ４４又は二次ＭＥＣ４６のいずれかとインターフェイスしている。この二次ＤＣ電力は、当該一次又は二次ＭＥＣ４４、４６の、同じ又は異なる分配モジュール１７０に接続された２つのツイストシールド導体ペア３１４によって分配されるものである。
【０１２８】
ＭＥＣ４４、４６のＣＮＩモジュール１６２からのチャネルＡ及びＢの通信データが、通信バス電子回路４１４、４１６で受信され、２つのツイストシールド導体ペア３１４が電源回路４１８、４２０に２８ＶＤＣ又は１１５ＶＡＣを供給する。不揮発性メモリ４２８を有するチャネルＡ及びチャネルＢマルチコアマイクロコントローラ電子回路４２２、４２４は、通信データを受信及び処理することよって、ＲＭＥＣ４１０内の他の電子回路とインターフェイスされたセンサー及びその他のコンポーネントをデジタルで制御する。マイクロコントローラ４２２、４２４のうちの一方が、動作的な不具合を有する場合、他方のマイクロコントローラ４２２、４２４が、機能又はデータを喪失することなく引き継ぐ。
【０１２９】
ＲＭＥＣ４１０からの通信がタイムセンシティブであるか否かにより、ＲＭＥＣ４１０が、一次ＭＥＣ４４又は二次ＭＥＣ４６のどちらと通信するのかを決定してもよい。例えば、ＲＭＥＣ４１０の装置負荷に関連付けられた通信がタイムセンシティブである場合には、ＲＭＥＣ４１０がそのタイムセンシティブな通信データを一次ＭＥＣ４４に送信することが好ましい。ＲＭＥＣ４１０からの通信がタイムセンシティブでない場合は、ＲＭＥＣ４１０は、その重要性の低い通信データを二次ＭＥＣ４６に送信することができる。このように、ＲＭＥＣの１つ又は複数からのタイムセンシティブな通信データを一次ＭＥＣに送信する一方、１つ又は複数のＲＭＥＣからのタイムセンシティブでない通信データを二次ＭＥＣに送信するようにしてもよい。タイムセンシティブな通信の一例は、ランディングギアが、短い滑走路の端部において、障害物を避けるために一定時間内に上がるかどうかである。タイムセンシティブではない通信の一例は、乗客用設備に故障があることが判明したような場合である。ＭＥＣ４４、４６とＲＭＥＣ４１０との通信は、ＣＡＮ、ＡＲＩＮＣ６６４、Flexray又はその他のバスアーキテクチャのいずれかによって実現することができる。
【０１３０】
ＲＭＥＣ４１０の１つ又は複数の構成にさらに含まれ得る電子回路は、近接センサー４３４とインターフェイスするための近接センサー電子回路４３２、個別スイッチ４３８とインターフェイスするための個別入力スイッチ電子回路４３６、温度センサーとインターフェイスするための温度センサー電子回路４４０、及び、ローカルサブシステムのモータなどの装置の位置を特定するための可変差動トランス（ＶＤＴ）４４６とインターフェイスするための可変差動トランス電子回路４４４である。
【０１３１】
図１９はさらに、負荷５０にＤＣ又はＡＣ電力を供給するための、遠隔ＭＥＣ４１０の１つ又は複数の電力分配電気回路４５０に加えて、ソレノイド４５４、リレイ４５６、スイッチ４５８、ライト４６０及び点火装置４６２を示している。ただし、負荷５０、ソレノイド４５４、リレイ４５６、スイッチ４５８、ライト４６０及び点火装置４６２の使用及びその数は、各遠隔ＭＥＣ４１０のサブシステムの構成及び位置に依存する。回路を完成させるため、遠隔ＭＥＣ４１０は、接地されたリターン経路出力を提供するための１つ又は複数の個別出力スイッチ電気回路４５２も含む。負荷５０、ソレノイド４５４、リレイ４５６、スイッチ４５８、ライト４６０及び点火装置４６２用のすべてのワイヤは、ＲＭＥＣ４１０に局所化されている。
【０１３２】
図２０Ａ及び図２０Ｂは、メインランディングギアの制御及び表示システム用のＲＭＥＣ４１０の１つ又は複数の構成のブロック図を示している。ＲＭＥＣ４１０及び、ＲＭＥＣ４１０とインターフェイスするメインランディングシステムは、航空機１０の加圧されたヴェセルの外側に位置している。図２０Ａ及び図２０ＢのＲＭＥＣ４１０は、冗長な通信及び電力チャネルを有するフォールトトレラントなコンピューティングシステム４１２、ならびに、近接センサー電気回路４３２を含む。ＭＥＣ４１０の右側のソレノイド４５４は、１つ又は複数のソリッドステート電力制御及び表示電気回路４６６、及び、１つ又は複数の接地及びオープンアナログ個別出力制御及び表示電気回路４６８とインターフェイスする。ソリッドステート電力制御及び表示電気回路４６６及び接地／オープンアナログ個別出力制御及び表示電気回路４６８の両方が、ＭＥＣ４４、４６の電力分配モジュール１７０から、例えば２８ＶＤＣなどの電力入力４７０を受け取り、スイッチ４７２を介してソレノイド４５４に電力を供給する。スイッチ４７２のロジックが正しい場合、電力及び接地の両方がソレノイド４５４に提供されて、ランディングギアのドアを開閉し、ランディングギアの傾斜、上昇及び下降が可能となる。ランディングギアシステムの油圧ラインがいつ加圧されたかを示すために、油圧トランスデューサー４７６を監視するための１つ又は複数の油圧トランスデューサー電子回路４７４を含んでいてもよい。ＲＭＥＣ４１０のプログラムジャンパーピン電子回路４７８は、ジャンパーを追加するあるいは除去することによって航空機のサブシステムの構成を変更する。
【０１３３】
図２１Ａ及び図２１Ｂは、乗客入口ドアシステム４０４の乗客入口ドアに使用するための、ＲＭＥＣ４１０の１つ又は複数の構成のブロック図を示している。ＲＭＥＣ４１０及び、ＲＭＥＣ４１０とインターフェイスする乗客入口ドアシステム４０４は、航空機１０の加圧されたヴェセルの内部に位置している。図２１Ａ及び図２１ＢのＲＭＥＣ４１０は、冗長な通信及び電力チャネルを有するフォールトトレラントなコンピューティングシステム４１２、ならびに、近接センサー電気回路４３２を含む。近接センサー４３４は、乗客入口ドアシステム４０４の位置状態を示す。
【０１３４】
ＭＥＣ４１０の左側の近接センサー４３４及び近接センサー電子回路４３２は、以下のそれぞれの回路とインターフェイスする。すなわち、乗客入口ドアがいつ閉まったか、ラッチされたか、及びロックされたかを示すための乗客入口ドア制御パネル４８２を備える１つ又は複数の制御パネル個別出力電子回路４８０と；フライトロックアクチュエータ４８６を備える１つ又は複数のフライトロックアクチュエータ個別出力電子回路４８４と；励起ライン、感知ライン、電力ライン、接地ライン及び油圧トランスデューサー４７６を有する空圧リザーバ４９０を備える１つ又は複数の圧力トランスデューサー個別入出力電子回路４８８と；乗客入口ドアスイッチ４９４用の１つ又は複数の個別入力電子回路と；にインターフェイスする。乗客入口ドア４８２、フライトロックアクチュエータ４８６、空圧リザーバ４９０及び乗客入口ドアスイッチ４９４用の配線はすべて、乗客入口ドアシステム４０４内にあり、ＲＭＥＣ４１０に局所化されている。
【０１３５】
次に、図２２を参照すると、輸送機の遠隔の電力及びデータ要素に電力及びデータを供給するための例示的な手順７００が示されている。別段の示唆が無い限り、図示しここで説明する工程よりも数多くの工程又は数少ない工程が行われる場合もありうる。また、別段の示唆が無い限り、これらの工程は、記載した順序とは異なる順序で行われる場合もありうる。
【０１３６】
手順７００は、１つ又は複数の電源が一次電力を生成する工程７０２で始まる。工程７０４は、一次電力をＭＥＣ４４、４６、４８に分配することを含む。工程７０６において、各ＭＥＣ４４、４６、４８は、装置負荷５０に二次電力の供給を含む所定の対応を行う。工程７０８において、少なくとも１つのＭＥＣ４４、４６、４８は、ＲＭＥＣ４１０に二次電力を分配する。工程７１０は、ＲＭＥＣ４１０を、１つ又は複数の電力及びデータ要素と関連付けることを含む。工程７１２において、各ＲＭＥＣ４１０は、１つ又は複数の電力及びデータ要素に二次電力を分配する。
【０１３７】
上述した要旨は、単に例示的なものであり、限定的に解釈されるべきではない。本明細書に記載した要旨に対し、図示及び説明した実施例及び実施の態様にとらわれることなく、且つ、以下の特許請求の範囲に記載される本開示の真の精神及び範囲から逸脱することなく、種々の改変及び変更を行うことができる。
【図１】
0006458012.tif 000002
【図２】
0006458012.tif 000003
【図３】
0006458012.tif 000004
【図４】
0006458012.tif 000005
【図５Ａ】
0006458012.tif 000006
【図５Ｂ】
0006458012.tif 000007
【図５Ｃ】
0006458012.tif 000008
【図５Ｄ】
0006458012.tif 000009
【図５Ｅ】
0006458012.tif 000010
【図５Ｆ】
0006458012.tif 000011
【図６】
0006458012.tif 000012
【図７】
0006458012.tif 000013
【図８】
0006458012.tif 000014
【図９】
0006458012.tif 000015
【図１０Ａ】
0006458012.tif 000016
【図１０Ｂ】
0006458012.tif 000017
【図１０Ｃ】
0006458012.tif 000018
【図１０Ｄ】
0006458012.tif 000019
【図１１】
0006458012.tif 000020
【図１２Ａ】
0006458012.tif 000021
【図１２Ｂ】
0006458012.tif 000022
【図１２Ｃ】
0006458012.tif 000023
【図１３】
0006458012.tif 000024
【図１４】
0006458012.tif 000025
【図１５】
0006458012.tif 000026
【図１６】
0006458012.tif 000027
【図１７】
0006458012.tif 000028
【図１８】
0006458012.tif 000029
【図１９】
0006458012.tif 000030
【図２０Ａ】
0006458012.tif 000031
【図２０Ｂ】
0006458012.tif 000032
【図２１Ａ】
0006458012.tif 000033
【図２１Ｂ】
0006458012.tif 000034
【図２２】
0006458012.tif 000035